【事件の表示】
　特許第２７６３９４５号「遊技機」の特許に対する特許異議の申立てについて、次のとおり決定する。
【結　論】
　訂正を認める。
　特許第２７６３９４５号の特許を維持する。
【理　由】
１．手続の経緯
　特許第２７６３９４５号の発明についての出願は、平成１年１２月２６日に特許出願されたものであって、平成１０年３月２７日にその特許の設定登録がなされ、その後、特許異議の申立てが、アルゼ株式会社（以下、「申立人」という。）よりなされ、取消理由通知が通知され、その指定期間内に訂正請求がなされ、訂正拒絶理由が通知されたところ、その指定期間内である平成１２年１月１８日に訂正拒絶理由に対する手続補正書が提出され、さらに、訂正拒絶理由が通知されたところ、その指定期間内である平成１２年４月３日に訂正拒絶理由に対する手続補正書が提出されたものである。
２．訂正の適否についての判断
［２−１］訂正請求に対する補正の適否について
　特許権者は、訂正明細書、平成１２年１月１８日付け手続補正書を次のように補正しようとするものである。
（１）訂正明細書の特許請求の範囲について、
『電気的駆動源の作用により・・・上記各検出器からの信号が一定時間継続してオン状態あるいはオフ状態であるか否かで球存在状態の判定を行うとともに、上記第一の検出器の判定結果に基づきフラグを設定する球監視手段と、を備え、・・・特徴とする遊技機』を、
『電気的駆動源の作用により・・・上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、・・・特徴とする遊技機』と補正する。
（２）訂正請求書の（３）訂正の要旨の訂正事項ａの（丸１）について、
　『（丸１）特許請求の範囲の記載のうち「・・・」を、特許請求の範囲の減縮を目的として「・・・上記各検出器からの信号が一定時間継続してオン状態あるいはオフ状態であるか否かで球存在状態の判定を行うとともに、上記第一の検出器の判定結果に基づきフラグを設定する球監視手段と、を備え、・・・」と訂正する』 を、
『（丸１）特許請求の範囲の記載のうち「・・・」を、特許請求の範囲の減縮を目的として「・・・上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、・・・」と訂正する』と補正する。
（３）平成１２年１月１８日付けで補正をした訂正明細書の第２頁第１２行から第２５行について、
『（課題を解決するための手段）
　本発明は上記に鑑み提案されたもので、・・・上記各検出器からの信号が一定時間継続してオン状態あるいはオフ状態であるか否かで球存在状態の判定を行うとともに、上記第一の検出器の判定結果に基づきフラグを設定する球監視手段と、を備え、・・・上記フラグによる球存在判定を毎回行うようにした。』を、
『（課題を解決するための手段）
　本発明は上記に鑑み提案されたもので、・・・上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、・・・上記フラグによる球存在判定を毎回行うようにした。』と補正する。
（４）訂正請求書の（３）訂正の要旨の訂正事項ａの（丸２）について、
『（課題を解決するための手段）
　本発明は上記に鑑み提案されたもので、・・・上記各検出器からの信号が一定時間継続してオン状態あるいはオフ状態であるか否かで球存在状態の判定を行うとともに、上記第一の検出器の判定結果に基づきフラグを設定する球監視手段と、を備え、・・・上記フラグによる球存在判定を毎回行うようにした。』を、
『（課題を解決するための手段）
　本発明は上記に鑑み提案されたもので、・・・上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、・・・上記フラグによる球存在判定を毎回行うようにした。』と補正する。
　上記補正（１）〜（４）は、訂正請求書の要旨を変更するものでないから、特許法第１２０条の４第３項において準用する同法第１３１条第２項の規定に適合するので、採用する。
［２−２］訂正の内容
　本件訂正の要旨は、本件特許の明細書を手続補正書により補正された訂正請求書のとおり訂正することを求めるにあり、その訂正の内容は以下のとおりである。
（１）特許請求の範囲の記載のうち「貯留タンクから流下する球が所定部位に存在することを検出する検出器を有し、該検出器からの信号を監視して球存在状態の判定を行う球監視手段と、を備え、上記球排出指令信号に基づいて、上記制御装置が少なくとも上記球排出装置監視手段による排出可能判定および上記球監視手段による球存在判定を毎回行うようにしたことを特徴とする遊技機。」を、
「上記球排出装置の上流に球が存在することを検出する第一の検出器と、貯留タンクから流下する球が上記球排出装置内の所定部位に存在することを検出する第二の検出器とを有し、上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、上記球排出指令信号に基づいて、上記制御装置が少なくとも上記球排出装置監視手段による排出可能判定および上記第二の検出器による監視結果と、上記フラグによる球存在判定を毎回行うようにしたことを特徴とする遊技機。」と訂正する。
（２）明細書の第１頁第２０行から第５頁第３行に、「本発明は、・・・毎回行う。」とあるのを「本発明は、遊技機に関し、詳しくは球の排出制御に関するものである。
（従来技術）
　従来の遊技機では、入賞口へ入賞した入賞球の重量やその大きさを利用してリンク機構により球鞘等から構成された賞球排出装置を作動させ、入賞球に対する賞球を排出させていた。
　したがって、入賞球が存在することを条件に排出すべき賞球が存在する場合に作動する機構により排出処理がなされていた。
　近年は、特別遊技態様が発生すると多量の入賞球が発生して遊技者が短期間に多量の賞球を得ることが可能な遊技機の人気が高まっており、さらに、入賞位置により異なる賞球数が設定されたものや、遊技機から貸玉を排出させるものもあり、従来の賞球排出機構では対応が困難になってきている。
（発明が解決しようとする課題）
　近年、遊技者に人気の高い多量の賞球を得ることが可能な遊技内容を採用したり、複数種類の賞球や貸玉を排出するために、入賞球を電気的に検出してこの電気信号に基づき所要数の球の排出が可能な球排出装置を用いた遊技機が増えている。
　しかしながら、このような球排出装置においては、高速に且つ複数種類の排出を正確に制御するためには、球排出装置の作動状態を把握すると共に、適切なタイミングを以て排出作動を行わなければならない。
（課題を解決するための手段）
　本発明は上記に鑑み提案されたもので、電気的駆動源の作用により球の排出制御を行う球排出装置と、球排出指令信号に基づいて上記球排出装置を作動させ、所要数の球を排出させる制御装置と、を備えた遊技機において、上記制御装置は、上記球排出装置に関する所定の稼動状態および稼動異常状態を含む制御状態を監視して球排出装置の作動可能状態の判定を行う球排出装置監視手段と、上記球排出装置の上流に球が存在することを検出する第一の検出器と、貯留タンクから流下する球が上記球排出装置内の所定部位に存在することを検出する第二の検出器とを有し、上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、上記球排出指令信号に基づいて、上記制御装置が少なくとも上記球排出装置監視手段による排出可能判定および上記第二の検出器による監視結果と、上記フラグによる球存在判定を毎回行うようにした。
（作用）
　電気的駆動源の作用により所要数の球を排出可能な球排出装置を球排出指令信号に基づいて作動させて、所定数の球の排出を行わせる制御装置は、球排出指令信号に基づいて、球排出装置監視手段による排出可能判定および上記第二の検出器による監視結果と、第一の検出器による球存在判定結果に基づき設定されるフラグによる球存在判定を毎回行う。」と訂正する。
（３）明細書の第１０７頁第６行から第１０８頁第４行までに「以上のように・・・排出制御がなされる。」とあるのを「以上のように本発明によれば、電気的駆動源の作用により所要数の球を排出可能な球排出装置を球排出指令信号に基づいて作動させて、所定数の球の排出を行わせる制御装置は、球排出指令信号に基づいて、球排出装置監視手段による排出可能判定および上記第二の検出器による監視結果と、第一の検出器による球存在判定結果に基づき設定されるフラグによる球存在判定を毎回行い、しかも、球監視手段は検出器からの信号が一定時間継続することを条件にして球の存在状態を判定することで、正確な球の存在状態の判定を行う。
　したがって、制御装置が球排出装置の作動状態を把握して排出制御を行うので、例えば連続して排出を行う場合に一定周期で排出を繰り返すのではなく、前回の排出の終了後の適切なタイミングであり、且つ所定数の球の排出が可能であることを検出した上で次回の排出作動を開始することが可能になり、短期間に集中して排出を行ったり、排出する数が異なる場合においても正確な排出制御がなされる。」と訂正する。
［２−３］訂正の目的の適否、新規事項の有無及び拡張・変更の存否
　上記［２−２］（１）の訂正については、訂正前の特許請求の範囲の請求項１における「貯留タンクから流下する球が所定部位に存在することを検出する検出器」、「該検出器からの信号を監視して球存在状態の判定を行う球監視手段」、「上記制御装置が少なくとも上記球排出装置監視手段による排出可能判定および上記球監視手段による球存在判定を毎回行う」を、
「上記球排出装置の上流に球が存在することを検出する第一の検出器と、貯留タンクから流下する球が上記球排出装置内の所定部位に存在することを検出する第二の検出器」、「上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段」、「上記制御装置が少なくとも上記球排出装置監視手段による排出可能判定および上記第二の検出器による監視結果と、上記フラグによる球存在判定を毎回行う」と限定したものであるから、上記［２−２］（１）の訂正は特許請求の範囲の減縮を目的とするものである。
　また、上記［２−２］（２）ないし（３）の訂正は、発明の詳細な説明の記載を訂正後の特許請求の範囲の記載と整合させるものであるから、［２−２］（２）ないし（３）の訂正は明りょうでない記載の釈明を目的とするものである。
　そして、特許請求の範囲の記載を訂正する、上記［２−２］（１）の構成は、特許明細書の、第４８頁第３〜６行、第６０行第１１〜１４行、第６１頁第１４行〜第６２行第２行、第６３頁第１３行〜第６４頁第１４行、第６９頁第７行〜第７０頁第１３行、第２１図（Ａ）（Ｂ）、第３８図、第４４図の記載から上記明細書に記載されていることは明らかである。
　したがって、上記［２−２］（１）ないし（３）の訂正は、願書に添付した明細書または図面に記載した事項の範囲内においてするものであって新規事項を追加するものでなく、かつ、実質上特許請求の範囲を拡張し、又は変更するものではない。
［２−４］独立特許要件
（訂正明細書の発明）
　訂正明細書の請求項１に係る発明（以下、「訂正明細書の発明」という）は、訂正明細書における特許請求の範囲の請求項１に記載されたとおりの、次の事項により特定されるものである。
「電気的駆動源の作用により球の排出制御を行う球排出装置と、球排出指令信号に基づいて上記球排出装置を作動させ、所要数の球を排出させる制御装置と、を備えた遊技機において、
上記制御装置は、上記球排出装置に関する所定の稼働状態および稼働異常状態を含む制御状態を監視して球排出装置の作動可能状態の判定を行う球排出装置監視手段と、
上記球排出装置の上流に球が存在することを検出する第一の検出器と、貯留タンクから流下する球が上記球排出装置内の所定部位に存在することを検出する第二の検出器とを有し、
上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、
上記球排出指令信号に基づいて、上記制御装置が少なくとも上記球排出装置監視手段による排出可能判定および上記第二の検出器による監視結果と、上記フラグによる球存在判定を毎回行うようにしたことを特徴とする遊技機。」
（引用刊行物記載の発明）
　当審において通知した取消理由書で引用した刊行物１（特開昭６２−１４４６８０号公報）には、
第１頁右欄第３〜６行、第６頁左上欄第８行〜右上欄第３行、第１０頁左下欄第９行〜第１１頁第３行、第８頁左上欄１４行〜右上欄第１５行等の記載からみて、
「電気的な制御により球の排出制御を行う賞品球排出装置２０と、セーフ球検出器４７からの検出信号によってセーフ記憶レジスタに１を加えられたことに基づいて上記賞品球排出装置２０を作動させ、所要数の球を排出させるＣＰＵ２００と、を備えた遊技機において、
上記ＣＰＵ２００は、上記賞品球排出装置２０に関する流下経路内に玉がある状態および流下経路内に球がない状態を含む制御状態を監視して賞品球排出装置の流下経路内に玉があるか否かの判定を行う、ルーチンＲ２０５実行中のＣＰＵ２００と、
貯留タンク４１から流下する球が所定部位に存在することを検出する玉不足検出器５３を有し、玉不足検出器５３からの信号を監視して空玉予告表示を行うルーチンＲ４１，Ｒ４２実行中のＣＰＵ２００と、を備え、
　上記セーフ球検出器４７からの検出信号によってセーフ記憶レジスタに１を加えられたことに基づいて、上記ＣＰＵ２００が少なくとも上記ルーチンＲ２０５実行中のＣＰＵ２００による賞品球排出装置の流下経路内に玉があるか否かの判定を毎回行うようにした遊技機。」
が記載されている。
　刊行物２（特開昭５７−４９４７９号公報）には、
第３頁右上欄第２〜１１行、第４頁左上欄第１７行〜右上欄第２０行の記載からみて、
「上タンク１２内に予備球が所定部位に存在することを検出する球切れ検出器５１を有し、該球切れ検出器５１からの信号を入力して球存在状態の判定を行う制御装置４０のゲート６７を備え、入賞球検出パルスの入力がある毎に制御装置４０が制御装置４０のゲート６７による球存在状態の判定を行って賞球排出装置８４を駆動する球遊技機」
が記載されている。       
（対比・判断）
　訂正明細書の発明と刊行物１ないし２に記載された発明とを対比すると、刊行物１ないし２のいずれにも、訂正明細書の発明を特定するための事項である、「上記球排出指令信号に基づいて、上記制御装置が少なくとも上記球排出装置監視手段による排出可能判定および上記第二の検出器による監視結果と、上記フラグによる球存在判定を毎回行う」事項が記載されていない。そして、当該事項により、訂正明細書の発明は、「連続して排出を行う場合に一定周期で排出を繰り返すのではなく、前回の排出の終了後の適切なタイミングであり、且つ所定数の球の排出が可能であることを検出した上で次回の排出作動を開始することが可能になり、短期間に集中して排出を行ったり、排出する数が異なる場合においても正確な排出制御がなされる。」という明細書記載の顕著な効果を奏するものであり、訂正明細書の発明は、刊行物１ないし刊行物２に記載された発明から当業者が容易に発明できたものとは認められないから、特許出願の際独立して特許を受けることができるものである。
［２−５］むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する特許法第１２６条第１項ただし書、第２項及び第３項の規定に適合するので、当該訂正を認める。
３．特許異議の申立てについて
［３−１］本件発明
　本件請求項１に係る発明（以下、「本件発明」という。）は、［２−４］独立特許要件（訂正明細書の発明）の項に記載された事項により特定されるとおりのものである。
［３−２］申立ての理由の概要
　申立人は、訂正前の本件発明についての特許に対して、証拠として甲第１号証（特開昭６２−２８６４８４号公報）、甲第２号証（特開昭６２−１４４６８０号公報）、甲第３号証（特開平１−９７４８５号公報）、甲第４号証（特開平５７−４９４７９号）を提出し、本件発明の特許は特許法第２９条第２項の規定に違反してなされたものであり、本件発明についての特許を取り消すべき旨主張している。
［３−３］甲各号証の記載内容
　甲第１号証には、
「セーフセンサの出力信号に基づいて、制御装置２００が賞品球排出装置２０を次回賞品球の排出開始前に排出ウエイトタイマにより待機させることを毎回行うようにした遊技機」
が記載されている。
　甲第２号証には、［２−４］（引用刊行物記載の発明）に記載されたとおりの発明が記載されている。
甲第３号証には、
「表示判定処理の判定に基づいて、主制御装置が排出センサ１、２の一定時間ＯＦＦによる球詰まり判定および排出センサ１、２の一定時間時間ＯＮによる球存在判定を毎回行う遊技機」
が記載されている。
　甲第４号証には、［２−４］（引用刊行物記載の発明）に記載されたとおりの発明が記載されている。
［３−４］判断
　申立人の提出した甲第１号証ないし甲第４号証は、本件発明の構成要件である「上記球排出指令信号に基づいて、上記制御装置が少なくとも上記球排出装置監視手段による排出可能判定および上記第二の検出器による監視結果と、上記フラグによる球存在判定を毎回行う」事項を備えておらず、当該事項により本件発明は、「連続して排出を行う場合に一定周期で排出を繰り返すのではなく、前回の排出の終了後の適切なタイミングであり、且つ所定数の球の排出が可能であることを検出した上で次回の排出作動を開始することが可能になり、短期間に集中して排出を行ったり、排出する数が異なる場合においても正確な排出制御がなされる。」という明細書記載の顕著な効果を奏するものであり、本件発明は、甲第１号証ないし甲第４号証に記載された発明から当業者が容易に発明できたものとすることはできない。
４．むすび
　以上のとおりであるから、特許異議申立ての理由及び証拠によっては、本件発明の特許を取り消すことはできない。
　また、他に本件発明の特許を取り消すべき理由を発見しない。
【異議決定日】
平成１２年４月２８日（２０００．４．２８）
【訂正の要旨】
（１）特許請求の範囲の記載のうち「貯留タンクから流下する球が所定部位に存在することを検出する検出器を有し、該検出器からの信号を監視して球存在状態の判定を行う球監視手段と、を備え、上記球排出指令信号に基づいて、上記制御装置が少なくとも上記球排出装置監視手段による排出可能判定および上記球監視手段による球存在判定を毎回行うようにしたことを特徴とする遊技機。」を、
「上記球排出装置の上流に球が存在することを検出する第一の検出器と、貯留タンクから流下する球が上記球排出装置内の所定部位に存在することを検出する第二の検出器とを有し、上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、上記球排出指令信号に基づいて、上記制御装置が少なくとも上記球排出装置監視手段による排出可能判定および上記第二の検出器による監視結果と、上記フラグによる球存在判定を毎回行うようにしたことを特徴とする遊技機。」と訂正する。
（２）明細書の第１頁第２０行から第５頁第３行に、「本発明は、・・・毎回行う。」とあるのを「本発明は、遊技機に関し、詳しくは球の排出制御に関するものである。
（従来技術）
　従来の遊技機では、入賞口へ入賞した入賞球の重量やその大きさを利用してリンク機構により球鞘等から構成された賞球排出装置を作動させ、入賞球に対する賞球を排出させていた。
　したがって、入賞球が存在することを条件に排出すべき賞球が存在する場合に作動する機構により排出処理がなされていた。
　近年は、特別遊技態様が発生すると多量の入賞球が発生して遊技者が短期間に多量の賞球を得ることが可能な遊技機の人気が高まっており、さらに、入賞位置により異なる賞球数が設定されたものや、遊技機から貸玉を排出させるものもあり、従来の賞球排出機構では対応が困難になってきている。
（発明が解決しようとする課題）
　近年、遊技者に人気の高い多量の賞球を得ることが可能な遊技内容を採用したり、複数種類の賞球や貸玉を排出するために、入賞球を電気的に検出してこの電気信号に基づき所要数の球の排出が可能な球排出装置を用いた遊技機が増えている。
　しかしながら、このような球排出装置においては、高速に且つ複数種類の排出を正確に制御するためには、球排出装置の作動状態を把握すると共に、適切なタイミングを以て排出作動を行わなければならない。
（課題を解決するための手段）
　本発明は上記に鑑み提案されたもので、電気的駆動源の作用により球の排出制御を行う球排出装置と、球排出指令信号に基づいて上記球排出装置を作動させ、所要数の球を排出させる制御装置と、を備えた遊技機において、上記制御装置は、上記球排出装置に関する所定の稼動状態および稼動異常状態を含む制御状態を監視して球排出装置の作動可能状態の判定を行う球排出装置監視手段と、上記球排出装置の上流に球が存在することを検出する第一の検出器と、貯留タンクから流下する球が上記球排出装置内の所定部位に存在することを検出する第二の検出器とを有し、上記各検出器からの信号が一定時間継続してオン状態あるいはオフ状態であるか否かで球存在状態の判定を行うとともに、上記第一の検出器における球存在判定を上記球排出指令信号に関わらず常時繰り返し行い、この判定結果に基づきフラグを設定する球監視手段と、を備え、上記球排出指令信号に基づいて、上記制御装置が少なくとも上記球排出装置監視手段による排出可能判定および上記第二の検出器による監視結果と、上記フラグによる球存在判定を毎回行うようにした。
（作用）
　電気的駆動源の作用により所要数の球を排出可能な球排出装置を球排出指令信号に基づいて作動させて、所定数の球の排出を行わせる制御装置は、球排出指令信号に基づいて、球排出装置監視手段による排出可能判定および上記第二の検出器による監視結果と、第一の検出器による球存在判定結果に基づき設定されるフラグによる球存在判定を毎回行う。」と訂正する。
（３）明細書の第１０７頁第６行から第１０８頁第４行までに「以上のように・・・排出制御がなされる。」とあるのを「以上のように本発明によれば、電気的駆動源の作用により所要数の球を排出可能な球排出装置を球排出指令信号に基づいて作動させて、所定数の球の排出を行わせる制御装置は、球排出指令信号に基づいて、球排出装置監視手段による排出可能判定および上記第二の検出器による監視結果と、第一の検出器による球存在判定結果に基づき設定されるフラグによる球存在判定を毎回行い、しかも、球監視手段は検出器からの信号が一定時間継続することを条件にして球の存在状態を判定することで、正確な球の存在状態の判定を行う。
　したがって、制御装置が球排出装置の作動状態を把握して排出制御を行うので、例えば連続して排出を行う場合に一定周期で排出を繰り返すのではなく、前回の排出の終了後の適切なタイミングであり、且つ所定数の球の排出が可能であることを検出した上で次回の排出作動を開始することが可能になり、短期間に集中して排出を行ったり、排出する数が異なる場合においても正確な排出制御がなされる。」と訂正する。
（５４）【発明の名称】
遊技機
（５７）【特許請求の範囲】
　電気的駆動源の作用により球の排出制御を行う球排出装置と、球排出指令信号に基づいて上記球排出装置を作動させ、所要数の球を排出させる制御装置と、を備えた遊技機において、
　上記制御装置は、上記球排出装置に関する所定の稼働状態および稼働異常状態を含む制御状態を監視して球排出装置の作動可能状態の判定を行う球排出装置監視手段と、
　
上記球排出装置の上流に球が存在することを検出する第一の検出器と、
上記球排出装置内の
第二の
と
　
上記各
が一定時間継続してオン状態あるいはオフ状態であるか否かで
とともに、上記第一の検出器における球存在判定を上記球排出指令信号に関わらず常時繰返し行い、この判定結果に基づきフラグを設定する
　上記球排出指令信号に基づいて、上記制御装置が少なくとも上記球排出装置監視手段による排出可能判定および上記
第二の検出器による監視結果と、上記フラグ
【発明の詳細な説明】
（産業上の利用分野）
　本発明は、遊技機に関し、詳しくは球の排出制御に関するものである。
（従来技術）
　従来の遊技機では、入賞口へ入賞した入賞球の重量やその大きさを利用してリンク機構により球鞘等から構成された賞球排出装置を作動させ、入賞球に対する賞球を排出させていた。
　したがって、入賞球が存在することを条件に排出すべき賞球が存在する場合に作動する機構により排出処理がなされていた。
　近年は、特別遊技態様が発生すると多量の入賞球が発生して遊技者が短期間に多量の賞球を得ることが可能な遊技機の人気が高まっており、さらに、入賞位置により異なる賞球数が設定されたものや、遊技機から貸玉を排出させるものもあり、従来の賞球排出機構では対応が困難になってきている。
（発明が解決しようとする課題）
　近年、遊技者に人気の高い多量の賞球を得ることが可能な遊技内容を採用したり、複数種類の賞球や貸玉を排出するために、入賞球を電気的に検出してこの電気信号に基づき所要数の球の排出が可能な球排出装置を用いた遊技機が増えている。
　しかしながら、このような球排出装置においては、高速に且つ複数種類の排出を正確に制御するためには、球排出装置の作動状態を把握すると共に、適切なタイミングを以て排出作動を行わなければならない。
（課題を解決するための手段）
　本発明は上記に鑑み提案されたもので、電気的駆動源の作用により球の排出制御を行う球排出装
置と
置と
機に
態お
態を
段と
上記球排出装置の上流に球が存在することを検出する第一の検出器と、
上記球排出装置内の
第二の
と
上記各
が一定時間継続してオン状態あるいはオフ状態であるか否かで
とともに、上記第一の検出器における球存在判定を上記球排出指令信号に関わらず常時繰返し行い、この判定結果に基づきフラグを設定する
第二の検出器による監視結果と、上記フラグ
（作用）
　電気的駆動源の作用により所要数の球を排出可能な球排出装置を球排出指令信号に基づいて作動させて、所定数の球の排出を行わせる制御装置は、球排出指令信号に基づいて、球排出装置監視手段による排出可能判定および上記
第二の検出器による監視結果と、第一の検出器による球存在判定結果に基づき設定されるフラグ
（実施例）
　以下、本発明の実施例を図面に基づいて説明する。
　第１図に示すように、１はパチンコ機の遊技盤、２は前面側からフレーム３内に遊技盤１を取付ける基盤（前面枠とも呼ぶ）、４は遊技盤１の前面を覆うカバーガラス、５は基盤２を支持する機枠である。
　遊技盤１は係止部材６ａ，６ｂにより基盤２のフレーム３内に着脱自由に、カバーガラス４はガラス枠７を介して基盤２に開閉可能に取付けられ、基盤２は機枠５にヒンジ８ａ，８ｂにより回動可能に組付けられる。９ａ，９ｂは基盤２の施錠フックである。
　遊技盤１の表面の遊技部には種々の入賞口やアウト口および多数の遊技釘等が配列され、遊技盤１の裏面には各入賞口に入賞した入賞球を案内する集合樋１０ａ，１０ｂが形成される。遊技盤に変動入賞装置を有する最近のパチンコ機では、天入賞口等の一般の入賞口の他に変動入賞装置の始動用等の特定の入賞口を設けているが、これら一般の入賞口への入賞と特定の入賞口ヘの入賞とで賞球数を変えられるように、遊技盤１の裏面に２系統に一般の入賞口に接続する集合樋１０ａが奥側に、特定の入賞口に接続する集合樋１０ｂが手前側に形成される。集合樋１０ｂと特定の入賞口とは集合樋１０ａ内を貫通する流路（図示しない）により接続され、集合樋１０ａ，１０ｂの下部は開口される。
　基盤２のフレーム後部には遊技盤１の裏面の構造等に応じて所定の開口部が形成され、開口部後方には遊技盤１の裏面を覆う開閉カバー１１が取付けられる。基盤２の図左下部には球供給機構、発射杆１２、モータ１３等からなる打球発射装置１４が配設され、また基盤２のフレーム後面には下部に入賞球処理装置１５が、上部から右側部および下部にかけて賞球排出装置１６が配設される。　入賞球処理装置１５は、遊技盤１の裏面の集合樋１０ａ，１０ｂを流下してきた入賞球を系統毎に処理するもので、基盤２のフレーム後面の奥側と手前側とに集合樋１０ａ，１０ｂと同じく２系統に設けられる。第２図において、２系統のうち１系統しか図示しないが、集合樋１０ａ，１０ｂに接続する案内樋１７ａ，１７ｂと、案内樋１７ａ，１７ｂに続く調流樋１８ａ，１８ｂと、調流樋１８ａ，１８ｂに続く導出樋１９ａ，１９ｂと、調流樋１８ａ，１８ｂに設置したストッパ機構２０ａ，２０ｂおよび入賞球の検出器（セーフセンサ）２１ａ，２１ｂとから構成され、案内樋１７ａ、調流樋１８ａ、導出樋１９ａ、ストッパ機構２０ａ、セーフセンサ２１ａは基盤２のフレーム後面の奥側に、案内樋１７ｂ、調流樋１８ｂ、導出樋１９ｂ、ストッパ機構２０ｂ、セーフセンサ２１ｂは基盤２のフレーム後面の手前側に配置される。
　案内樋１７ａ，１７ｂは、上部の開口形状が集合樋１０ａ，１０ｂの下部の開口形状とほぼ同一に形成され、基盤２のフレーム３に遊技盤１を取付けた状態で対応する集合樋１０ａ，１０ｂに接続されると共に、開口部の図示左側の曲部２２に続いて中央に向けて緩やかに下り傾斜する底部２３と、開口部の図示右側から中央に向けて緩やかに下り傾斜して底部２３に対し所定の段差を形成する案内部２４と、案内部２４の終端から底部２３の終端に向けてパチンコ球を整列通過させる整列部２５と、底部２３の終端に垂直に続いてパチンコ球を一個ずつ通過可能な落下部２６とが設けられる。
　調流樋１８ａ，１８ｂは、案内樋１７ａ，１７ｂの落下部２６に続いてパチンコ球を一個ずつ通過可能に緩やかに下り傾斜する誘導部２７と、誘導部２７の終端の導入部２８に略４５度の傾斜角で続いてパチンコ球を一個ずつ通過可能な調流部２９と、調流部２９に垂直に続いてパチンコ球を落下する落下部３０とから形成される。誘導部２７の上壁は終端の導入部２８に向けていくらか通路断面が大きくなるように上り傾斜に、導入部２８の上壁は導入部２８にてパチンコ球が後続のパチンコ球よりも上方に行かないように誘導部２７側に前傾して形成され、これにより誘導部２７に入ったパチンコ球は導入部２８にて球詰まりを生じることなくスムーズに調流部２９に流入される。調流部２９は直線の通路形状で所定の長さに形成され、調流部２９の通路断面はほぼ通路の中心にてパチンコ球を通すようにパチンコ球の径よりもやや大きい正方形に形成される。落下部３０は調流部２９からのパチンコ球を素早く落下するように調流部２９よりも大きな通路断面に形成される。導出樋１９ａ，１９ｂは、調流樋１８ａ，１８ｂの落下部３０に続く傾斜部３１と流下部３２とから形成され、流下部３２の出口はパチンコ機後方の図示しない回収樋に接続される。なお、各樋１７ａ，１７ｂ、１８ａ，１８ｂ、１９ａ，１９ｂは基盤２のフレーム後面の奥側と手前側とで別体に形成しても良いが、一体に形成しても良い。ストッパ機構２０ａ，２０ｂは、第３図（Ａ），（Ｂ）のように（１系統のみ図示）調流樋１８ａ，１８ｂの側上方より調流部２９内に進入してパチンコ球の流下を阻止するそれぞれ２つの係止爪３３ａ，３４ａ，３３ｂ，３４ｂと、それぞれ係止爪３３ａ，３４ａ，３３ｂ，３４ｂの駆動手段としてのソレノイド（セーフソレノイド）３５ａ，３５ｂが設けられる。係止爪３３ａ，３３ｂは鉤状部材からなり、調流部２９の下流部側方にて基板（図示しない）に設けた支軸３６により揺動自由に支持され、球阻止部となる進入側外周部が揺動軌跡と一致するように円弧状に形成され、中央部にその上方にて基板に設置したセーフソレノイド３５ａ，３５ｂがピン連結される。係止爪３４ａ，３４ｂは係止爪３３ａ，３３ｂの外周部に係合する後方部を有する半円状部材からなり、係止爪３３ａ，３３ｂの斜め上方の調流部２９の側方にて基板に設けた支軸３７により揺動自由に支持され、球阻止部となる進入側外周部が揺動軌跡と一致するように円弧状におよび後方外周部も円弧状に形成され、かつ後方部に係止爪３４ａ，３４ｂを後退方向に付勢する所定のウエイト３８が取付けられる。
　係止爪３３ａ，３３ｂ，３４ａ，３４ｂに対応して調流部２９の側壁にはスリットが設けられ、係止爪３３ａ，３４ａが調流部２９内に進入した状態において係止爪３３ａ，３４ａの球阻止部先端の間隔がパチンコ球の径とほぼ一致するように，同じく係止爪３３ｂ，３４ｂが調流部２９内に進入した状態において係止爪３３ｂ，３４ｂの球阻止部先端の間隔がパチンコ球の径とほぼ一致するように係止爪３３ａ，３３ｂ，３４ａ，３４ｂやスリットの位置等が設定される。なお、ストッパ機構２０ａ，２０ｂとで係止爪３３ａ，３３ｂの支軸３６および係止爪３４ａ，３４ｂの支軸３７は共通でも良い。
　セーフソレノイド３５ａ，３５ｂの非通電状態では、第３図（Ａ）のように係止爪３３ａ，３３ｂの球阻止部が調流部２９内に所定量進入する一方、後方部のウエイト３８により係止爪３４ａ，３４ｂの球阻止部がスリット内に後退した状態にあり、この状態では調流部２９内に有るパチンコ球は係止爪３３ａ，３３ｂの球阻止部により流下を阻止される。次に、この非通電状態からセーフソレノイド３５ａ，３５ｂに通電されると、第３図（Ｂ）のように係止爪３３ａ，３３ｂが上方に回動して係止爪３３ａ，３３ｂの球阻止部がスリット内に後退すると共に、係止爪３３ａ，３３ｂの外周部に押動されて係止爪３４ａ，３４ｂの球阻止部が調流部２９内に所定量進入し、このため調流部２９内の後続のパチンコ球は係止爪３４ａ，３４ｂの球阻止部により流下を阻止される一方、先頭のパチンコ球は係止爪３３ａ，３３ｂから解放され、落下部３０に落下する。そして、セーフソレノイド３５ａ，３５ｂの通電が断たれると、リターンスプリングの付勢力により係止爪３３ａ，３３ｂが元の第３図（Ａ）の位置に戻り、係止爪３３ａ，３３ｂの球阻止部が調流部２９内に所定量進入する一方、後方部のウエイト３８により係止爪３４ａ，３４ｂの球阻止部がスリット内に後退し、このため係止爪３４ａ，３４ｂに阻止されていた後続のパチンコ球は係止爪３３ａ，３３ｂの球阻止部まで下がり流下を阻止される。
　即ち、調流樋１８ａ，１８ｂ内に入ったパチンコ球（入賞球）は、セーフソレノイド３５ａ，３５ｂのオン、オフに応じて調流部２９内で一時停止されると共に、後続球と分離されて導出樋１９ａ，１９ｂに流出される。また、係止爪３３ａ，３３ｂ，３４ａ，３４ｂを支軸３６，３７により揺動自由に支持すると共に、各球阻止部を揺動軌跡と一致する円弧状に形成したため、調流部２９内への進入時にパチンコ球を噛んだり、後退時にパチンコ球の球圧により抵抗を受けることがなく、セーフソレノイド３５ａ，３５ｂのオン、オフに応じて係止爪３３ａ，３３ｂ，３４ａ，３４ｂはスムーズに動作する。
　セーフセンサ２１ａ，２１ｂは、パチンコ球が通る通孔を有する近接スイッチからなり、それぞれストッパ機構２０ａ，２０ｂの係止爪３３ａと３４ａ，３３ｂと３４ｂの球阻止部の間にて、調流樋１８ａ，１８ｂの調流部２９に設けた収納部３９に設置される。係止爪３３ａと３４ａ，３３ｂと３４ｂの球阻止部の間にパチンコ球が有ればセーフセンサ２１ａ，２１ｂはオン信号を出力し、無ければセーフセンサ２１ａ，２１ｂはオフ信号を出力する。
　賞球排出装置１６は、遊技盤１の各入賞口への入賞により賞品球の排出を行うもので、第２図において基盤２のフレーム上部に賞品球を貯留する上タンク４０と、上タンク４０からの賞品球を導く誘導樋４１と、誘導樋４１に続いて基盤２のフレーム右側部に賞品球の排出機構４２ａ，４２ｂと、排出機構４２ａ，４２ｂに続いて賞球排出樋４３と、基盤２のフレーム下部に賞球排出樋４３の分配樋４４と、賞球排出樋４３から分岐する球抜き樋４５とが設けられる。排出機構４２ａ，４２ｂは２系統からなるが、第２図では１系統のみ図示している。
　上タンク４０は、第４図、第５図のように位置決めピンを設けた前端の取付基板４６ａ，４６ｂを基盤２のフレーム３に形成した取付溝４８ａ，４８ｂに挿入し、係止具４９ａ、４９ｂを設けた中間部の取付座５０ａ，５０ｂをフレーム３の取付面に合わせ、係止具４９ａ，４９ｂをフレーム３の係止孔５１ａ，５１ｂに押し込むことで取付けられる。上タンク４０の傾斜する底壁の最下部（図左側）には誘導樋４１の上流部に開口する落下部５２が形成され、落下部５２には誘導樋４１側に設けたスイッチ（補給センサ）５３を動作する踏板５４がタンク４０の上部から回動自由に吊設される。上タンク４０内に賞品球が無くなると、踏板５４がコイルバネ（図示しない）の作用により反時計方向に跳ね上がって補給センサ５３から離れ、補給センサ５３がオン信号を出力する。５５は誘導樋４１に向けて吊設された球ナラシである。
　誘導樋４１は、第５図〜第９図のように取付基板５６に上流部から下流部（図右側）に向けて緩やかな下り傾斜に形成され、上流部の樋壁は取付基板５６とで上タンク４０の落下部５２を囲う所定高さに形成され、誘導樋４１の中央に途中から誘導樋４１内を奥側と手前側との２条の通路５７ａ，５７ｂに形成する分流壁５８が設けられる。分流壁５８は上タンク４０の落下部５２の踏板５４の対向側の開口縁部に対応する位置から斜めにパチンコ球の径以上の高さに立ち上がり、樋壁に応じて高さを低くし、下流部にてパチンコ球の径の半分以下の高さとなるように形成される。分流壁５８を上タンク４０の落下部５２の開口縁部下方にて立ち上がらせるので、上タンク４０から誘導樋４１へのパチンコ球の流入がスムーズとなり、下流部に行くにしたがって分流壁５８の高さをパチンコ球の径の半分以下まで徐々に低くするので、パチンコ球が途中でこぼれることがなく、奥側と手前側の通路５７ａ，５７ｂに適確に分離、整流される。
　誘導樋４１の下流部には球ナラシを兼ねる球止め装置５９と、半端球を検出するためのスイッチ（半端センサ）６０が配設される。球止め装置５９は先端側を反り曲げた曲板６１が通路５７ａ，５７ｂ上に架設した支軸６２に回動自由に取付けられ、通常時には曲板６１の側部の突起６３と樋壁との間に張設したバネ６４によって、曲板６１が第８図（Ａ）のように先端側を反り上げて通路５７ａ，５７ｂ上にかぶさる球ナラシ位置に保持され、通路５７ａ，５７ｂでのパチンコ球の重なりを防止してパチンコ球をスムーズに流下させる。また、先端側を手動により持ち上げて曲板６１を第８図（Ｂ）のように起立させると、バネ６４の付勢方向が変わって曲板６１が直立状態に、つまり後端側が通路５７ａ，５７ｂ内に進入してパチンコ球の流下を阻止する球止め位置に保持され、これにより賞球排出装置の保守点検時や故障時等にパチンコ球を遮断して作業を容易に行えるようになる。半端センサ６０は通路５７ａ，５７ｂの底部に配設したウェイトを有する踏板６５ａ，６５ｂに応動ずるレバー６６に対向して配置され、踏板６５ａ，６５ｂは球止め装置５９の直立状態での曲板６１の直下流にて傾動自由に配設される。パチンコ球が踏板６５ａ，６５ｂ上に有れば第８図（Ａ）のように踏板６５ａ，６５ｂが通路５７ａ，５７ｂと連続し、レバー６６がバランスして半端センサ６０がオフ信号を出力し、無ければ第８図（Ｂ）のように踏板６５ａ，６５ｂがウェイトにより傾動してレバー６６の後部が半端センサ６０を押動し、半端センサ６０がオン信号を出力する。
　誘導樋４１の通路５７ａ，５７ｂは下流端に排出機構４２ａ，４２ｂの流入樋６８ａ，６８ｂを接続するように、下流端の樋壁が上部後方に斜めに切り欠かれ、通路５７ａ，５７ｂの下部に所定深さの接合凹部６７が形成され、これに合わせて排出機構４２ａ，４２ｂの流入樋６８ａ，６８ｂは流入端の樋壁が上部前方に斜めに突出され、流入端の下部に接合凹部６７に挿入される所定長さの接合凸部６９が形成される。これにより、誘導樋４１の通路５７ａ，５７ｂと排出機構４２ａ，４２ｂの流入樋６８ａ，６８ｂとがずれを生じることなく連続し、簡単かつ適確に接続される。
　排出機構４２ａ，４２ｂは、基盤２のフレーム３に取付けるユニット基板７０に２系統に設けられ、第１０図、第１１図のように誘導樋４１の通路５７ａ，５７ｂと接続する流入樋６８ａ，６８ｂと、流入樋６８ａ，６８ｂに設置した排出ロック機構７１と、流入樋６８ａ，６８ｂに続く調流樋７２ａ，７２ｂと、調流樋７２ａ，７２ｂに設置した排出ストッパ機構７３ａ，７３ｂおよび排出球の検出器（排出センサ）７４ａ，７４ｂとから構成される。流入樋６８ａ、調流樋７２ａはユニット基板７０の裏面側に、流入樋６８ｂ、調流樋７２ｂはユニット基板７０の表面側に一体的に形成され、ユニット基板７０を間に流入樋６８ａ、調流樋７２ａ、排出ストッパ機構７３ａ、排出センサ７４ａは基盤２のフレーム後面の奥側に、流入樋６８ｂ、調流樋７２ｂ、排出ストッパ機構７３ｂ、排出センサ７４ｂは基盤２のフレーム後面の手前側に配置される。
　流入樋６８ａ，６８ｂは、パチンコ球を一個ずつ通過可能な通路で、誘導樋４１の通路５７ａ，５７ｂに続いて図右側に緩やかに下り傾斜する傾斜部７５と、傾斜部７５の下流端に続いて通路方向を略１８０度反転させる第１屈曲部７６と、第１屈曲部７６に続いて図左側に緩やかに下り傾斜する傾斜部７７と、傾斜部７７の下流端に続いて通路方向を再び略１８０度反転させる第２屈曲部７８とから形成される。
　流入樋６８ａ，６８ｂの各部の通路断面はパチンコ球の径よりもやや大きい正方形に、ほぼ通路の中心にてパチンコ球を通すように形成され、第１屈曲部７６および第２屈曲部７８はパチンコ球の流下速度を減少すると共に、後述する排出ストッパ機構７３ａ，７３ｂによる流下阻止状態にて誘導樋４１側からの球圧を軽減する。
　調流樋７２ａ，７２ｂは、同じくパチンコ球を一個ずつ通過可能な通路で、第２屈曲部７８に続いて通路方向を略９０度転換させ垂直下方に向かう垂直部７９と、垂直部７９の終端の側部に続く誘導部８０と、誘導部８０に略４５度の傾斜角で続く調流部８１と、調流部８１に垂直に続く落下部８２とから形成される。
　垂直部７９の通路断面はパチンコ球の径よりもやや大きい正方形に、ほぼ通路の中心にてパチンコ球を通すように形成され、垂直部７９の終端の底壁８３は誘導部８０側に緩やかに下り傾斜に形成され、垂直部７９の誘導部８０と対向側の壁面８４は誘導部８０側にいくらか迫り出させて形成される。誘導部８０と対向側の壁面８４を迫り出させることにより、垂直部７９の底壁８３上に乗ったパチンコ球の中心は後続のパチンコ球の中心よりも誘導部８０側に位置することになり（この２つのパチンコ球の中心のずれを第１０図のｄに示す）、これにより垂直部７９内のパチンコ球は終端部分にて球詰まりを生じることなく誘導部８０に流入される。なお、第７３図に壁面３０１を迫り出していない従来の構造を示すが、これだと垂直部３０２の通路とパチンコ球の間に必ず設けなければならないクリアランスによって、底壁３０３上のパチンコ球の中心よりも後続のパチンコ球の中心が誘導部３０４側に来ることがあり、球詰まりを避けられない。
　誘導部８０の上壁８５は略４５度傾斜して形成され、誘導部８０にてパチンコ球が後続の垂直部７９の底壁８３上のパチンコ球よりも上方に行かないようにすると共に、垂直部７９の底壁８３にて方向を変えながら誘導部８０に流入するパチンコ球を略４５度傾斜した上壁８５に当てることで、誘導部８０でパチンコ球を一定の間隔で流下させ、かつパチンコ球の流下速度を調速する。これにより、垂直部７９から誘導部８０に入ったパチンコ球は誘導部８０を所定の速度および間隔で流下し、スムーズに調流部８１に流入される。また、垂直部７９の側部に誘導部８０を接続することで、後述する排出ストッパ機構７３ａ，７３ｂによる流下阻止状態にて調流部８１側での球圧を軽減する。調流部８１は直線の通路形状で所定の長さ（パチンコ球２個分）に形成され、調流部８１の通路断面はパチンコ球の径よりもやや大きい正方形に、ほぼ通路の中心にてパチンコ球を通すように形成される。落下部８２は調流部８１からのパチンコ球を素早く落下するように調流部８１よりも大きな通路断面に形成される。
　排出ストッパ機構７３ａ，７３ｂは、調流樋７２ａ，７２ｂの調流部８１の側上方より調流部８１内に進入してそれぞれパチンコ球の流下を阻止する係止爪８６ａ，８６ｂと、それぞれ係止爪８６ａ，８６ｂの駆動手段としてのソレノイド（排出ソレノイド）８７ａ，８７ｂが設けられる。係止爪８６ａ，８６ｂは扇状部材からなり、調流部８１の下流部側方にてユニット基板７０に突設した支軸８８により揺動自由に支持され、球阻止部となる扇状外周部が揺動軌跡と一致するように形成され、後部中央にリンク８９を介して排出ソレノイド８７ａ，８７ｂがピン連結される。係止爪８６ａ，８６ｂに対応して調流部８１の側壁にはスリットが設けられ、係止爪８６ａ，８６ｂが調流部８１内に進入した状態において調流部８１内に流下を阻止されたパチンコ球２個が並ぶように係止爪８６ａ，８６ｂやスリットの位置等が設定される。排出ソレノイド８７ａ，８７ｂは支軸８８の上方にてユニット基板７０に設けた嵌合枠９０に嵌装され、嵌合枠９０から立設した取付片９１にボルト止めされる。なお、支軸８８、嵌合枠９０、取付片９１はもちろんユニット基板７０の両面に設けられる。
　排出ソレノイド８７ａ，８７ｂの非通電状態では、第１２図（Ａ）のように係止爪８６ａ，８６ｂの球阻止部が調流部８１内に所定量進入した状態にあり、この状態では調流部８１内のパチンコ球は係止爪８６ａ，８６ｂの球阻止部により流下を阻止される。そして、この非通電状態から排出ソレノイド８７ａ，８７ｂに通電されると、第１２図（Ｂ）のようにリンク８９の引動により係止爪８６ａ，８６ｂが上方に回動して係止爪８６ａ，８６ｂの球阻止部がスリット内に後退し、このため調流部８１内のパチンコ球は係止爪８６ａ，８６ｂから解放され、落下部８２に落下する。そして、排出ソレノイド８７ａ，８７ｂの通電が断たれると、リターンスプリングの付勢力により係止爪８６ａ，８６ｂが元の第１２図（Ａ）の位置に戻り、球阻止部により調流部８１内のパチンコ球は流下を阻止される。
　係止爪８６ａ，８６ｂを支軸８８に揺動自由に支持すると共に、各球阻止部を揺動軌跡と一致する扇状に形成したため、各球阻止部はパチンコ球に対して常に接線方向に動くことになり、このため調流部８１内への進入時に調流部８１内のパチンコ球を噛んだり、後退時に流下を阻止していたパチンコ球の球圧により抵抗を受けることがなく、係止爪８６ａ，８６ｂは排出ソレノイド８７ａ，８７ｂのオン、オフに応じてスムーズに動作する。排出センサ７４ａ，７４ｂは、パチンコ球が通る通孔を有する近接スイッチからなり、それぞれ排出ストッパ機構７３ａ，７３ｂの係止爪８６ａ，８６ｂによりパチンコ球の流下を阻止した状態において先頭に続く２番目のパチンコ球のほぼ中央位置にて、調流樋７２ａ，７２ｂの調流部８１に設けた収納部９２に設置される。パチンコ球が排出センサ７４ａ，７４ｂの通過中にあるときを含め排出センサ７４ａ，７４ｂ内にあるときは排出センサ７４ａ，７４ｂはオン信号を出力し、無いときは排出センサ７４ａ，７４ｂはオフ信号を出力する。
　排出ロック機構７１は、それぞれ流入樋６８ａ，６８ｂの傾斜部７５の下流部の上壁に設けたスリットを介し傾斜部７５内に進入可能な扇状部材からなる係止爪９３ａ，９３ｂと、係止爪９３ａ，９３ｂの駆動手段としてのソレノイド（ロックソレノイド）９４が設けられる。係止爪９３ａ，９３ｂは、傾斜部７５の下流部上方にてユニット基板７０に設けた軸受部９５に挿通される共通の支軸９６を介して揺動自由に一体的に取付けられ、球阻止部となる扇状外周部が揺動軌跡と一致するように形成され、係止爪９３ｂにリンク９７を介してロックソレノイド９４がピン連結される。ロックソレノイド９４は係止爪９３ｂの上方にてユニット基板７０の表面側に設けた嵌合枠９８に嵌装され、嵌合枠９８から立設した取付片９９にボルト止めされる。
　ロックソレノイド９４の通電状態では、係止爪９３ａ，９３ｂの球阻止部がスリット内に後退し、ロックソレノイド９４の通電が断たれると、第１０図のようにスプリングの付勢力により係止爪９３ａ，９３ｂが下方に回動して両球阻止部が傾斜部７５内に進入し、傾斜部７５内のパチンコ球の流下を阻止する。係止爪９３ａ，９３ｂの球阻止部は揺動軌跡と一致するため、傾斜部７５内への進入時にパチンコ球を噛んだり、後退時にパチンコ球の球圧により抵抗を受けることがなく、ロックソレノイド９４のオン、オフに伴い係止爪９３ａ，９３ｂはスムーズに動作する。
　この排出機構４２ａ，４２ｂでのパチンコ球の動きを説明すると、排出ストッパ機構７３ａ，７３ｂの係止爪８６ａ，８６ｂが調流樋７２ａ，７２ｂの調流部８１内に進入してパチンコ球の流下を阻止している状態では（排出ロック機構７１はオン状態とする）、係止爪８６ａ，８６ｂに当接するパチンコ球を先頭に調流樋７２ａ，７２ｂおよび流入樋６８ａ，６８ｂ内にパチンコ球が隙間なく整列し、静止している。この際、誘導樋４１側のパチンコ球からの球圧は流入樋６８ａ，６８ｂの第１屈曲部７６および第２屈曲部７８により軽減され、調流樋７２ａ，７２ｂ側にかかることはない。また、排出ストッパ機構７３ａ，７３ｂの係止爪８６ａ，８６ｂにかかる球圧は調流樋７２ａ，７２ｂの調流部８１内および誘導部８０内のパチンコ球のみとなる。
　そして、排出ストッパ機構７３ａ，７３ｂの排出ソレノイド８７ａ，８７ｂがオンされ係止爪８６ａ，８６ｂが調流部８１内から後退されると、調流部８１内の先頭のパチンコ球および先頭に続く調流部８１、誘導部８０内のパチンコ球が速やかに流下し始め、これに続いて垂直部７９内のパチンコ球が誘導部８０内に流入し、誘導部８０の上壁８５により速度、間隔を調整されて誘導部８０内を落下し、調流部８１内を速やかに流下する。さらに、これに続いて流入樋６８ａ，６８ｂの第２屈曲部７８内のパチンコ球が垂直部７９内に速やかに流入し、傾斜部７７内のパチンコ球が第２屈曲部７８内に、第１屈曲部７６内のパチンコ球が傾斜部７７内に、傾斜部７５内のパチンコ球が第１屈曲部７６内にそれぞれ速やかに流入する。この際、係止爪８６ａ，８６ｂの後退により、先頭のパチンコ球と先頭に続く調流部８１内のパチンコ球はほぼ接しながら調流部８１内を流下し、誘導部８０からのパチンコ球は略４５度の角度で調流部８１が続くため、方向を変えつつ前方のパチンコ球と漸次離間して調流部８１内を流下し、さらに垂直部７９からのパチンコ球は誘導部８０の上壁８５により速度、間隔を調整されるため、それぞれ所定の離間距離で調流部８１内を流下するようになる。また、調流部８１、誘導部８０、垂直部７９、屈曲部７８、傾斜部７７等、各部での球圧は小さいため、パチンコ球はスムーズに流下する。
　そして、排出ストッパ機構７３ａ，７３ｂの排出ソレノイド８７ａ，８７ｂがオフされ係止爪８６ａ，８６ｂが調流部８１内に進入されると、調流部８１内を流下途中のパチンコ球が係止爪８６ａ，８６ｂに衝突して流下を阻止され、これに続いて調流部８１、誘導部８０、垂直部７９、屈曲部７８、傾斜部７７、屈曲部７６、傾斜部７５内のパチンコ球も流下を阻止され、元の静止状態に戻る。係止爪８６ａ，８６ｂの球阻止部は揺動軌跡と一致するため、パチンコ球の衝突による衝撃力を支軸８８により受けることができ、耐久性が向上すると共に、球阻止部はパチンコ球に対して接線方向に動くため、係止爪８６ａ，８６ｂの調流部８１内進入時にパチンコ球と衝突しても、パチンコ球を噛んだりすることなく係止爪８６ａ，８６ｂはスムーズに進入する。
　このように、誘導樋４１に続く排出機構４２ａ，４２ｂの流入樋６８ａ，６８ｂに２つの屈曲部７６，７８を、屈曲部７８に続いて垂直部７９を設け、垂直部９の下部側壁８４を迫り出させて対抗側に上壁８５を傾斜した誘導部８０を設け、誘導部８０の下方に略４５度傾斜した調流部８１を設けると共に、この調流部８１に排出ストッパ機構７３ａ，７３ｂを配設したので、排出ソレノイド８７ａ，８７ｂのオン時にパチンコ球がスムーズに流下すると共に、排出ソレノイド８７ａ，８７ｂのオフ時に係止爪８６ａ，８６ｂ等にかかる球圧を充分に軽減でき、信頼性が大幅に向上する。また、排出機構４２ａ，４２ｂはユニット構造となっており、このため各部品が故障したとき等、ユニットごと簡単に交換できるため、故障等に対し迅速に対応できる。また、各ソレノイドを垂直に配置したため、内部へのごみの侵入やロッド等の片減りを防止できる。
　なお、第１１図中１００は基盤２の前面に形成された操作孔よりピンあるいはワイヤのような器具を挿入することによりオン、オフ操作可能なスイッチ（球抜きセンサ）で、後述する球抜きゲートを作動させるためのものである。また、１０１はユニット基板７０の表面側に取付けられる排出機構４２ｂのカバーである。
　排出機構４２ａ，４２ｂに続く賞球排出樋４３は、第２図のように１系統からなるもので、排出機構４２ａ，４２ｂの調流樋７２ａ，７２ｂの両落下部８２に接続する流入部１０２と、基盤２の前面のパチンコ球の供給皿につながる流下樋１０３を設けた排球部１０４とから形成され、調流樋７２ａ，７２ｂの両落下部８２から流入したパチンコ球を突壁等に当てながら流下樋１０３上に落として供給皿へ排出する。分配樋４４は、基盤２の前面下部の受皿につながり、供給皿がパチンコ球で一杯になると前記流下樋１０３から溢れたパチンコ球を受皿へ排出する。また、分配樋４４には流下樋１０３の直下方にて樋壁を兼ねる検知片１０５と、検知片１０５に連動するスイッチ（オーバーフロースイッチ）１０６とが設けられ、分配樋４４内がパチンコ球で一杯になり、その押圧力で検知片１０５が押動されると、オーバーフロースイッチ１０６がオン信号を出力する。
　賞球排出樋４３の途中から分岐する球抜き樋４５は、分岐部に第１３図（Ａ），（Ｂ）のように板状の球抜きゲート１０７が支軸１０８を介して回動自由に配設され、樋壁外部にて支軸１０８に固定したクランク１０９がレバー１１０に係合され、レバー１１０の後端に球抜きゲート１０７を球抜き樋４５の閉位置（賞球排出樋４３が開）に付勢するバネ１１１が掛合され、レバー１１０にバネ１１１と反対側にリンク１１２を介して球抜きゲート１０７を駆動する球抜きソレノイド１１３が連結される。
　球抜きソレノイド１１３に通電されると、リンク１１２の上動によりバネ１１１に抗して球抜きゲート１０７が球抜き樋４５を開きかつ賞球排出樋４３を塞ぐ位置まで回動され、球抜きソレノイド１１３の通電が断たれると、バネ１１１により球抜きゲート１０７が球抜き樋４５の閉位置に戻される。リンク１１２の側方にはリンク１１２の側部に突設した検知片１１４の位置により球抜きゲート１０７の位置を検出するゲートセンサ１１５が設けられ、球抜きゲート１０７が球抜き樋４５の閉位置にあればゲートセンサ１１５がオフ信号を出力し、球抜きゲート１０７が球抜き樋４５の開位置（賞球排出樋４３が塞ぐ）にあれば検知片１１４がゲートセンサ１１５内に進入してゲートセンサ１１５がオン信号を出力する。
　なお、球抜き樋４５の下流側は、遊技盤１のアウト口１１６（第２図）より回収されたアウト球を導くアウト球導出樋１１７と合流され、さらにパチンコ機後方の図示しない回収樋に接続される。打球発射装置１４の球供給機構は、第１４図、第１５図のように基盤２の前面の供給皿１１８に投入されたパチンコ球を球供給口１１９、球流下路１２０、コの字状の球送りレバー１２１を介して発射レール上に一個ずつ供給するもので、供給皿１１８を取付けるパネル１２２内に組み込まれると共に、球流下路１２０内に進入可能なシャッタ１２３とシャッタ１２３を駆動するシャッタソレノイド１２４とが設けられる。
　シャッタソレノイド１２４の非通電時には、第１６図（Ａ）のようにシャッタ１２３が球流下路１２０の上方に保持され、この状態で打球発射装置１４が作動されると、供給皿１１８内のパチンコ球がモータ１３の駆動に伴い球供給口１１９、球流下路１２０、球送りレバー１２１を介して発射レール上に一個ずつ供給されると共に、供給されたパチンコ球がモータ１３に連動する発射杆１２により遊技盤１の遊技部に向け発射される。シャッタソレノイド１２４に通電されると、第１６図（Ｂ）のようにシャッタ１２３が球流下路１２０内に進入し、この状態では球流下路１２０から球送りレバー１２１へのパチンコ球の流下が阻止されるため、発射レールヘのパチンコ球の供給が停止され、パチンコ球の発射が停止される。
　なお、１２５は球流下路１２０を兼ねかつ遊技を中止したとき等に供給皿１１８内のパチンコ球を供給皿１１８下方の受皿に排出するための球抜き機構のスライダで、パネル１２２の前面に設けた球抜きレバーを押すと、スライダ１２５が後退して球供給口１１９からのパチンコ球を球抜き樋１２６に落とし、受皿に排出する。
　第１７図、第１８図には入賞球処理装置１５、賞球排出装置１６、打球発射装置１４等を制御する制御装置２００を示す。
　制御装置２００は、内部にＲＯＭやＲＡＭを備えるＣＰＵ（マイクロコンピュータ）２０１、ＣＰＵ２０１の入出力を処理するインターフェイス２０２、各入出力端子２０３〜２１０、タイマ発信回路２１１、電源回路２１２等からなり、ＣＰＵ２０１のＲＯＭには実行すべきプログラムおよび種々のデータを設定し、ＲＡＭはＣＰＵ２０１のワークエリアやタイマエリアを提供する。制御装置２００の各入出力端子２０３〜２１０に賞球排出装置１６の球抜きセンサ１００、排出機構４２ａ，４２ｂの排出センサ７４ａ，７４ｂ（排出センサ１，２）、排出ソレノイド８７ａ，８７ｂ（排出Ｓｏｌ１，２）、ロックソレノイド９４（ロックＳｏｌ）、賞球排出樋４３の分配樋４４のオーバーフロースイッチ１０６（オーバーフローＳＷ）、球抜き樋４５の球抜きゲート１０７を駆動する球抜きソレノイド１１３（球抜きＳｏｌ）、打球発射装置１４の球供給機構のシャッタソレノイド１２４（シャッタＳｏｌ）、球抜きゲート１０７のゲートセンサ１１５、入賞球処理装置１５のセーフセンサ２１ａ，２１ｂ（セーフセンサ１，２）、セーフソレノイド３５ａ，３５ｂ（セーフＳｏｌ１，２）、賞品球の上タンク４０に設けた補給センサ５３、打球発射装置１４の発射モータ１３、誘導樋４１に設けた半端センサ６０等が接続され、ＣＰＵ２０１はＲＯＭのプログラムデータおよび前記各センサ、スイッチ等からの信号に基づき、排出Ｓｏｌ１，２、ロックＳｏｌ、球抜きＳｏｌ、シャッタＳｏｌ、セーフＳｏｌ１，２、発射モータ等を制御する。
　なお、完了ランプは基盤２の前面上部に、セーフランプ（賞球ランプ）１，２は遊技盤１の左右上部に、タッチセンサ、発射ストップＳＷは打球発射装置１４の操作ハンドルに設けられるもので、完了ランプは補給センサのオン時や打ち止め時に点灯され、セーフランプ１，２は対応するセーフセンサ１，２のオン時やエラー時（後述する）等に点灯される。
　また、制御装置２００には、２系統の入賞球処理装置１５による各賞球数、ＣＰＵ２０１の処理モード、各機器のエラー等をモニタ表示するモニタ表示部２１３と、リモコン送信器２１４（第２０図）からのリモートコントロールによって前記賞球数を設定するためのリモコン受信器２１５が併設され、ＣＰＵ２０１に接続される。
　モニタ表示部２１３は、第１９図のように制御装置２００のケース２１６の表面に８桁に配列した７セグメント表示素子ＬＣＤ−Ａ〜Ｈと、ＬＣ，Ｄ−Ａ〜Ｈの間に配列した単一の表示素子ＬＣＤ−Ａｄ〜Ｇｄとからなり、ＣＰＵ２０１を介して、ＬＣＤ−Ａ，Ｂの２桁にセーフセンサ１側の設定賞球数が、ＬＣＤ−Ｄ，Ｅの２桁にセーフセンサ２側の設定賞球数が表示され、ＬＣＤ−Ｂｄはリモコン送信器２１４によるセーフセンサ１側の賞球設定時およびセーフセンサ１の検出による排出処理時に、ＬＣＤ−Ｅｄはリモコン送信器２１４によるセーフセンサ２側の賞球設定時およびセーフセンサ２の検出による排出処理時に点灯表示される。また、エラーが発生したときにエラー要因を確認可能とするように、ＣＰＵ２０１からの指令により、ＬＣＤ−ＧにはＣＰＵ２０１の処理モードが予め定めた数字にて表示され、ＬＣＤ−ＨにはＣＰＵ２０１の処理モードがエラー処理であればそのエラー要因が予め定めた数字にて表示され、このエラー時にＬＣＤ−Ｇｄは点滅表示される。
　リモコン受信器２１５は、リモコン送信器２１４から発せられた光信号（赤外線等）を受信部２１７に受けると、これを所定の電気信号に変換してＣＰＵ２０１に送り、リモコン送信器２１４は、携帯可能なもので、第２０図のようにセーフセンサ１側の賞球設定モードを呼び出すセーフキー２１８（セーフ１キー）と、セーフセンサ２側の賞球設定モードを呼び出すセーフキー２１９（セーフ２キー）と、賞球数を＋１する＋１キー２２０と、賞球数を−１する−１キー２２１と、賞球数の設定終了を指令するセットキー２２２とを備え、これらのキーを押すことで先端の送信部からそれぞれ所定の光信号を発する。
　リモコン送信器２１４の送信部をリモコン受信器２１５の受信部２１７に向けた状態で、セーフキー２１８を押すとＣＰＵ２０１によるセーフセンサ１側の賞球設定が受付可能となり、次に＋１キー２２０、−１キー２２１を適宜押していくと数値を１ずつ繰り上げ、繰り下げながらモニタ表示部２１３のＬＣＤ−Ａ，Ｂに任意に数値（賞球数）が表示され、さらにセットキー２２２を押すとＬＣＤ−Ａ，Ｂに表示された数値がセーフセンサ１側の設定賞球数として決定され、ＣＰＵ２０１内の所定のＲＡＭに格納される。また、同様にセーフキー２１９を押すとＣＰＵ２０１によるセーフセンサ２側の賞球設定が受付可能となり、次に＋１キー２２０、−１キー２２１を適宜押していくと数値を１ずつ繰り上げ、繰り下げながらモニタ表示部２１３のＬＣＤ−Ｄ，Ｅに任意に数値（賞球数）が表示され、さらにセットキー２２２を押すとＬＣＤ−Ｄ，Ｅに表示された数値がセーフセンサ２側の設定賞球数として決定され、ＣＰＵ２０１内の所定のＲＡＭに格納される。ただし、リモコン受信器２１５は、後述する初期セット時以外は電源投入直後の所定時間（例えば３０秒）のみリモコン送信器２１４からの信号を受付けるように設定される。
　また、前記ＲＡＭによる設定賞球数の格納値が電源の遮断等により消滅することのないように、制御装置２００の電源回路２１２にバックアップバッテリ２２３が備えられ、電源回路２１２の電圧が設定値以下に低下すると、電圧レベル回路２２４によりＲＡＭの電源がバックアップバッテリ２２３に切り替えられるようにしてある。
　なお、制御装置２００は基盤２のフレーム後面の左下部に取付けられる（第１図参照）。また、リモコン受信器２１５を制御装置２００の基板２２４上に設けても良いが、基盤２の任意の位置あるいはパチンコ機の前面側に配置しても良い。また、リモコン受信器２１５を島設備の所定の位置に配置しても良く、この場合リモコン受信器２１５を島設備で共通にして各パチンコ機の制御装置２００に接続すれば、１台の受信器２１５にて島設備内の各パチンコ機の賞球数の設定を一度に行うことも可能である。
　次に制御装置２００による制御内容を第２１図（Ａ），（Ｂ）〜第５４図のフローチャートに基づいて説明する。
　第２１図（Ａ），（Ｂ）はメインフローを示すもので、賞球数を定める“賞球数設定処理”、各センサ等の“常時監視処理”、賞球排出における“排出手段選択処理”、“排出開始条件確認処理’、“排出処理”、および“排出装置不正監視処理”、“球抜き処理”等からなる。
　まず、本装置の初期セット時には、電源が投入されると、ＣＰＵ２０１のＲＡＭが初期化され各デバイスヘの出力がリセット（オフ状態）され、排出機構４２ａ，４２ｂのロックＳｏｌのみオンされた後、初期の賞球数設定処理に移行する（０．０１〜０．０４）。
　初期の賞球数設定処理では、第２２図のようにリモコン送信器２１４の送信部をリモコン受信器２１５の受信部２１７に向けた状態で、リモコン送信器２１４のセーフ１キーをオンすると、セーフ１賞球設定フラグに受付可能を示す“１”が、排出レジスタ０に“０”がセットされ、次に第２３図の賞球数設定にて＋１キーをオンすればオン毎に排出レジスタ０の値が１ずつ繰り上がり、−１キーをオンすればオン毎に排出レジスタ０の値が１ずつ繰り下がり（１〜１５までの値）、これらのキーにより所定の値に選定した後セットキーをオンすると、排出レジスタ０の値がセーフセンサ１側の賞球数としてＲＡＭ内に設定、格納され、セーフ１賞球設定フラグに受付不能を示す“０”がセットされる（１．０１〜１．０６）。また、セーフ２キーをオンすると、セーフ２賞球設定フラグに受付可能を示す“１”が、排出レジスタ０に“０”がセットされ、同様に第２３図の賞球数設定にて＋１キーをオンすればオン毎に排出レジスタ０の値が１ずつ繰り上がり、−１キーをオンすればオン毎に排出レジスタ０の値が１ずつ繰り下がり（１〜１５までの値）、これらのキーにより所定の値に選定した後セットキーをオンすると、排出レジスタ０の値がセーフセンサ２側の賞球数としてＲＡＭ内に設定、格納され、セーフ２賞球設定フラグに受付不能を示す“０”がセットされる（１．０７〜１．１２）。賞球数の設定処理はセーフ１，２キーのうち先にオンされたほうが先行する。
　また、この初期賞球数セットを終えた後には、電源の遮断に応じ第２４図のパワーダウン割込により各デバイスヘの出力がリセット（オフ状態）され、同じくセットされる再起動フラグにより、電源が投入される毎に排出機構４２ａ，４２ｂのロックＳｏｌのみオンされた後、通常時の賞球数設定処理に移行する（０．０５〜０．１９）。
　通常時の賞球数設定処理では、電源の投入により読込制限タイマ（３０秒）がセットされ、読込制限タイマがタイムアップするまでの間に、リモコン送信器２１４の送信部をリモコン受信器２１５の受信部２１７に向けた状態で、リモコン送信器２１４のセーフ１キーをオンすると、セーフ１賞球設定フラグに受付可能を示す“１”が、排出レジスタ０に前に設定されたセーフセンサ１側の賞球数がセットされ、次に第２３図の賞球数設定にて＋１キーをオンすればオン毎に排出レジスタ０の値が１ずつ繰り上がり、−１キーをオンすればオン毎に排出レジスタ０の値が１ずつ繰り下がり（１〜１５までの値）、これらのキーにより所定の値に選定した後セットキーをオンすると、排出レジスタ０の値がセーフセンサ１側の新たな賞球数としてＲＡＭ内に更新、格納され、セーフ１賞球設定フラグに受付不能を示す“０”がセットされる（０．０６〜０．１２）。また、セーフ２キーをオンすると、セーフ２賞球設定フラグに受付可能を示す“１”が、排出レジスタ０に前に設定されたセーフセンサ２側の賞球数がセットされ、同様に第２３図の賞球数設定にて＋１キーをオンすればオン毎に排出レジスタ０の値が１ずつ繰り上がり、−１キーをオンすればオン毎に排出レジスタ０の値が１ずつ繰り下がり（１〜１５までの値）、これらのキーにより所定の値に選定した後セットキーをオンすると、排出レジスタ０の値がセーフセンサ２側の新たな賞球数としてＲＡＭ内に更新、格納され、セーフ２賞球設定フラグに受付不能を示す“０”がセットされる（０．１３〜０．１８）。賞球数の設定処理はセーフ１，２キーのうち先にオンされたほうが先行する。
　これらの賞球数の設定処理に対し、モニタ表示部２１３のＬＣＤ−Ａ，Ｂにセーフセンサ１側の賞球数が、ＬＣＤ−Ｄ，Ｅにセーフセンサ２側の賞球数が表示され、またセーフセンサ１側の処理中にＬＣＤ−Ｂｄが、セーフセンサ２側の処理中にＬＣＤ−Ｅｄが点灯され、両処理中にＬＣＤ−Ｃの中央セグメントが点滅される（後述する第４１図（Ａ），（Ｂ）のＬＣＤ表示処理、第３１図のＬＣＤ点滅処理による）。ここで、第５５図にセーフセンサ１側での処理のタイミングチャートを示すと、セーフ１キーをオンするとＬＣＤ−Ｃ（中央セグメント）が点滅され（５００ｍ秒間隔）しＣＤ−Ｂｄが点灯され、＋１キーをオンすると例えば［１１］を表示していたＬＣＤ−Ａ，Ｂの表示が［１２］に切り替わり、−１キーをオンすると［１２］を表示していたＬＣＤ−Ａ，Ｂの表示が［１１］に切り替わり、設定賞球数を例えば［１３］としてＬＣＤ−Ａ，Ｂの表示を［１３］に切り替えた後、セットキーをオンするとＬＣＤ−Ｃ（中央セグメント）の点滅が点灯に切り替えられＬＣＤ−Ｂｄが消灯される。
　このように、リモコン操作によってセーフセンサ１側の賞球数とセーフセンサ２側の賞球数をモニタ表示を見ながら自由にかつ簡単に設定でき、またその変更も容易に行うことができる。このため、遊技盤１の機種に合った賞球数に設定することが可能であり、遊技盤１の交換により賞球数を変更する必要を生じた場合にも簡単に対応可能である。また、賞球数を自由に設定できるため、遊技機を開発する際の自由度が高まり、変動入賞装置等の遊技の特徴を生かした遊技機の開発が可能となる。
　また、通常時の賞球数セットは、電源の投入によりセットされる読込制限タイマ（３０秒）の時間内に限り実行され、読込制限タイマがタイムアップすると、リモコン受信器２１５がリモコン送信器２１４からの信号の受付を停止する。このため、通常時に賞球数を設定する場合はパチンコ店の開店前に行われることになり、開店後に不正に賞球数の変更を行うことを防止できる。なお、ＲＡＭに設定、格納された賞球数は、電源がオフされても停電等により電源が切れても、バックアップバッテリ２２３により保持される。
　そして、初期賞球数セットを終えると、また通常時に読込制限タイマがタイムアップすると、以下繰り返し実行される常時監視処理等の各処理へ移行する（０．２０〜０．３３）。
　常時監視処理等の各処理へは電源投入後、賞球数設定処理による十分な時間が経過してから移行するため、各処理へ移行したときに各センサから安定した信号がＣＰＵ２０１に送られる。制御電源として例えばＣＰＵ２０１には５Ｖを、各センサには１２Ｖを用いているが、第５６図のように５Ｖと１２Ｖとでは電源の投入から規定の電圧に立ち上がるまでに時間差があり、即ちＣＰＵ２０１は５Ｖに達する前から正常な動作を始めるが、各センサは１２Ｖに立ち上がる途中の電圧にて不安定な状態となって誤信号を発生することがあり、このため電源投入後、電圧が立ち上がるのに十分な時間が経過してから常時監視処理等の各処理に入ることで、ＣＰＵ２０１が誤信号を読込むことを防止でき、誤動作を防止できる。また、通常時の賞球数セットを行わない場合、読込制限タイマをキャンセル可能としても良いが、この場合ロックＳｏｌのオン後、ウェイトタイマ（例えば２秒）をセットし、ウェイトタイマがタイムアップしてから常時監視処理等の各処理に入るようにすれば、同じく各センサから安定した信号がＣＰＵ２０１に送られ、ＣＰＵ２０１の誤動作を防止できる。なお、通常時の賞球数セットは、例えば遊技盤１の交換に伴い賞球数の変更を要するときに不定期的に行われる。
　第２５図は割込処理を示すもので、一定周期（１ｍ秒毎）で実行される“排出センサ１入力処理”、“排出センサ２入力処理”、“球抜きセンサ入力処理”、“補給センサ入力処理”、“ゲートセンサ入力処理”、“ＬＣＤ点滅処理”等からなる。割込処理にて行われる排出センサ１入力処理、排出センサ２入力処理は排出機構４２ａ，４２ｂの調流樋７２ａ，７２ｂの調流部８１を流下中のパチンコ球を排出ストッパ機構７３ａ，７３ｂの上流の排出センサ１，２にて精度良く検出するためのもので、それぞれ第２６図、第２７図のように１ｍ秒周期で排出センサ１，２の信号を読込み、前回読込んだ信号と今回読込んだ信号とにより検出（立上り検出）を行う。即ち、排出センサ１，２の信号がオフからオンに変わると排出１，２変化フラグに“１”をセットし、次に今回の排出センサ１，２の信号がオンであれば排出センサ１，２立上りフラグを“１”にして球有り、つまりパチンコ球が排出センサ１，２内に入った立上りと判定する（１１．０６〜１１．０９，１１．０１〜１１．０４、１２．０６〜１２．０９，１２．０１〜１２．０４）。他方、排出センサ１，２の信号がオフのときは排出１，２Ｌレベルフラグに“１”をセットし、次に今回の排出センサ１，２の信号がオフであれば球無し、つまりパチンコ球が排出センサ１，２内に無いと判定する（１１．１０，１１．１１，１１．０６，１１．０７、１２．１０，１２．１１，１２．０６，１２．０７）。
　第５７図（Ａ），（Ｂ）に排出センサ１，２入力処理の例を示すと、フレーム２あるいは１０の場合は、センサの信号がオフからオンに変わった後、再びオフとなるので、その信号オンをノイズと見なして無効とする。フレーム５あるいは１３の場合は、センサの信号がオフからオンに変わった後、信号が今回もオンとなるので、今回の信号入力時に立上り（球有り）と判定する。フレーム６，７の場合は、立上りを判定済である。また、フレーム９の場合は、センサの信号がオンからオフに変わった後、信号が今回もオフとなるので、今回の信号入力時に立下り（球無し）と判定する。この排出センサ１，２入力処理により、調流樋７２ａ，７２ｂの調流部８１を流下中のパチンコ球を正確に検出でき、流下中のパチンコ球を計数できる。
　球抜きセンサ入力処理は、基盤２の前面の操作孔より挿入された器具の操作により球抜きセンサがオンしたか否かを検出するためのもので、第２８図のように１ｍ秒周期で球抜きセンサの信号を読込み、球抜きセンサの信号がオフからオンに変わると球抜きセンサ変化フラグに“１”をセットし、次に今回の球抜きセンサの信号がオンであれば球抜き開始フラグを“１”にして球抜きセンサのオンを判定する（１３．０９〜１３．１２，１３．０４〜１３．０７）。他方、球抜きセンサの信号がオフのときは球抜きセンサＬレベルフラグに“１”をセットし、次に今回の球抜きセンサの信号がオフであれば球抜きセンサのオフを判定する（１３．１３，１３．１４，１３．０９，１３．１０）。なお、賞球排出装置１６による賞球排出中を示す排出処理フラグ＝“１”（第４５図（Ａ），（Ｂ）の排出処理による）のときは球抜きセンサのオン、オフの検出を行わない（１３．０１〜１３．０３）。
　球抜きセンサ入力処理では、賞球排出装置１６による賞球排出中を除き、第５７図（Ａ），（Ｂ）の例と同様にフレーム２あるいは１０の場合はセンサの信号オンをノイズと見なして無効とし、フレーム５あるいは１３の場合は今回の信号入力時にセンサをオンと判定し、フレーム６，７の場合はセンサのオンを判定済であり、フレーム９の場合は今回の信号入力時にセンサをオフと判定する。この球抜きセンサ入力処理により、賞球排出装置１６による賞球排出と後述する球抜き動作とが重なる心配がなく、操作孔より挿入された器具の操作による球抜きセンサのオンを正確に検出することができる。
　補給センサ入力処理は、賞球排出装置１６の上タンク４０に設けた踏板５４の動作により上タンク４０内の賞品球の有無を検出するもので、第２９図のように１ｍ秒周期で読込まれる補給センサの信号がオフ状態のときは、補給Ｌレベルフラグを“１”にして上タンク４０内に賞品球有りと判定する（１４．０１，１４１４，１４．０６）。また、補給センサの信号がオフ状態からオンに変わると補給立上変化フラグに“１”をセットし（１４．０１，１４．２３〜１４．２５）、次に補給センサの信号がオンであれば、補給センサ立上フラグに“１”をセットし補給Ｈレベルフラグを“１”にして上タンク４０内に賞品球無しと判定する（１４．１５〜１４．１９）。また、補給センサの信号がオン状態からオフに変わると補給立下変化フラグに“１”をセットし（１４．０１，１４．１０〜１４．１２）、次に補給センサの信号がオフであれば、補給センサ立下フラグに“１”をセットし補給Ｌレベルフラグを“１”にして上タンク４０内に賞品球有りと判定する（１４．０２〜１４．０６）。
　補給センサ入力処理も、排出センサ１，２入力処理、球抜きセンサ入力処理と同様にセンサの信号が１回のみオンあるいはオフの場合は無効とし、センサの前回の信号と今回の信号がオフの場合は上タンク４０内に賞品球有りと判定し、センサの前回の信号と今回の信号がオンの場合は上タンク４０内に賞品球無しと判定する。この補給センサ入力処理により、上タンク４０内の賞品球の有無を正確に検出することができる。
　ゲートセンサ入力処理は、球抜き樋４５の球抜きゲート１０７が閉位置にあるか開位置にあるかを検出するもので、第３０図のように１ｍ秒周期で読込まれるゲートセンサの信号がオフ状態のときは、ゲートＬレベルフラグを“１”にして球抜きゲート１０７が閉位置にあると判定する（１５．０１，１５．１４，１５０６）。また、ゲートセンサの信号がオフ状態からオンに変わるとゲート立上変化フラグに“１”をセットし（１５．０１，１５．２３〜１５．２５）、次にゲートセンサの信号がオンであれば、ゲートセンサ立上フラグに‘‘１”をセットしゲートＨレベルフラグを“１”にして球抜きゲート１０７が開位置あると判定する（１５．１５〜１５．１９）。また、ゲートセンサの信号がオン状態からオフに変わるとゲート立下変化フラグに“１”をセットし（１５．０１，１５．１０〜１５．１２）、次にゲートセンサの信号がオフであれば、ゲートセンサ立下フラグに“１”をセットしゲートＬレベルフラグを“１”にして球抜きゲート１０７が閉位置にあると判定する（１５．０２〜１５．０６）。
　ゲートセンサ入力処理も、排出センサ１，２入力処理、球抜きセンサ入力処理と同様にセンサの信号が１回のみオンあるいはオフの場合は無効とし、センサの前回の信号と今回の信号がオフの場合は球抜きゲート１０７が閉位置にあると判定し、センサの前回の信号と今回の信号がオンの場合は球抜きゲート１０７が開位置にあると判定する。このゲートセンサ入力処理により、球抜きゲート１０７の位置を正確に検出することができる。
　このように排出センサ１，２、球抜きセンサ、補給センサ、ゲートセンサの入力処理により、排出センサ１，２にて流下中のパチンコ球、球抜きセンサのオン、上タンク４０内の賞品球の有無、球抜きゲート１０７の位置を正確に検出でき、ノイズによる影響を防止できる。即ち、パチンコ球はパチンコ島内部を循環移動しており、その際上タンク４０、賞球排出樋４３、供給皿等、各流下経路との摩擦により静電気を帯びやすく、その静電気によりノイズが発生するのであるが、それぞれ一定周期（１ｍ秒）でセンサの信号を読込み、前回の信号と今回の信号を比較して検出するので、センサ信号とノイズとを識別することができ、このためノイズによる制御装置２００の誤動作を確実に防止でき、高い信頼性が確保される。また、これにより例えば電子ライタ等によってパチンコ機の金枠等の金属部分に放電し、ノイズを発生させることで賞球排出装置１６等を誤動作させるといった不正行為等をも確実に防止できる。
　なお、ＬＣＤ点滅処理では、第３１図のように２５０ｍ秒毎にＬＣＤ点滅フラグに消灯を示す“０”と点灯を示す“１”とを交互にセットし、賞球設定時や後述するエラー処理時にモニタ表示部２１３の対応する表示素子の点滅タイミングを設定する（１６．０１〜１６．０５）。
　常時監視処理は、第３２図のように“ＬＣＤ表示処理”、“セーフセンサ１入力処理”、“セーフセンサ２入力処理”、“排出センサ１レベル入力処理”、“排出センサ２レベル入力処理”、“オーバーフローＳＷ入力処理”、“半端センサ入力処理”、“発射モータ制御処理”、“補給処理”からなる。
　常時監視処理におけるセーフセンサ１入力処理、セーフセンサ２入力処理は、入賞球処理装置１５の調流樋１８ａ，１８ｂの調流部２９に設けられるストッパ機構２０ａ，２０ｂの２つ球阻止部の間にてセーフセンサ１，２によるパチンコ球（入賞球）の有無を精度良く検出するもので、第３３図、第３４図のように所定周期（繰り返し処理の所要時間に応じる）でセーフセンサ１，２の信号を読込み、一定時間での信号の状態によりパチンコ球の検出を行う。即ち、セーフセンサ１，２の信号がオフからオンに変わるとセーフ１，２球有タイマ（１０ｍ秒）をセットし（２１．０１，２１．０７〜２１．０９、２２．０１，２２．０７〜２２．０９）、次いでセーフ１，２球有タイマがタイムアップしたときにセーフセンサ１，２の信号がオンであれば球有りと判定し、セーフ１，２球有フラグ“１”をセットする（２１．０１，２１．０３〜２１．０６、２２．０１，２０３〜２２．０６）。他方、セーフセンサ１，２の信号がオフのときは（２１０１，２２．０１）、セーフ１，２球無タイマ（４ｍ秒）がタイムアップした態でセーフセンサ１，２の信号がオフであれば球無しと判定し、セーフ１，２球無フラグに“１”をセットする（２１．１５〜２．１７，２１．１１〜２１１４、２２．１５〜２２．１７，２２．１１〜２２．１４）。
　セーフセンサ１，２入力処理では、セーフ１，２球有タイマあるいはセーフ１，２球無タイマによる一定時間、センサの信号がオンあるいはオフを継続した場合に球有りあるいは球無しと判定し、タイマのカウント中あるいはタイムアップ後にセンサの信号が変わっても、その信号の変化が一時的であればノイズと見なして無効とする。また、電源投入初期からセンサの信号がオンのときは、セーフセンサ１，２入力処理に入った後、１０ｍ秒後に球有りと判定し、セーフ１，２球有フラグに“１”をセットする。このセーフセンサ１，２入力処理により、ストッパ機構２０ａ，２０ｂの２つの球阻止部の間に入賞球の有無をセーフセンサ１，２にて正確に検出することができる。なお、調流樋１８ａ，１８ｂの調流部２９に入った入賞球はストッパ機構２０ａ，２０ｂにより一旦流下を阻止されるため、セーフ１，２球有タイマによる球有りの検出時間は１０ｍ秒で十分である。
　このようにセーフセンサ１，２の信号が一定時間オン、オフを継続したときに球有り、球無しを検出するので、入賞球の有無を正確に検出できると共に、排出センサ１，２入力処理等と同にノイズによる影響を防止でき、制御装置２００の誤動作を確実に防止できる。
　排出センサ１レベル入力処理、排出センサ２レベル入力処理は、排出機構４２ａ，４２ｂの調流樋７２ａ，７２ｂの調流部８１に排出センサ１，２によりパチンコ球の有無を検出して排出開始条件（第４４図の排出開始条件確認処理）等を指示するもので、第３５図、第３６図のように所定周期で読込まれる排出センサ１，２の信号がオン状態のときは、オンとなったときに排出１，２球有タイマ（５０ｍ秒）および排出１，２エラータイマ（２秒）をセットし（２３．０６，２３．０７，２３．１２，２３．１３、２４．０６，２４．０７，２４．１２，２４．１３）、排出１，２球有タイマがタイムアップしたときに排出センサ１，２球有フラグに“１”を、次いで排出１，２エラータイマがタイムアップしたときに排出１，２エラー解除フラグに“１”をセットする（２３．０３〜２３．０５，２３．０９〜２３，１１、２４．０３〜２４．０５，２４．０９〜２４．１１）。また、排出センサ１，２の信号がオフになると、排出１，２球有監視フラグ、排出センサ１，２球有フラグ、排出１，２エラー監視フラグ、排出１，２エラー解除フラグに“０”をセットする（２３．１４〜２３．１７、２４．１４〜２４．１７）。排出センサ１，２の信号が５０ｍ秒間オン状態にあり、排出センサ１，２球有フラグ＝“１”、即ち排出ストッパ機構７３ａ，７３ｂの上流側にパチンコ球が有りかつ静止（排出ストッパ機構７３ａ，７３ｂにより流下を阻止）している状態が後述する排出開始条件の１つとなる。また、排出センサ１，２の信号が２秒間オン状態を継続し、排出１，２エラー解除フラグ＝“１”が後述するエラー処理後の復帰時期となる。なお、排出ストッパ機構７３ａ，７３ｂによりパチンコ球の流下を阻止している状態において、排出センサ１，２は先頭に続く２番目のパチンコ球を検出する。
　オーバーフローＳＷ入力処理は、賞球排出樋４３の分配樋４４に設けたオーバーフローＳＷの信号により分配樋４４のオーバーフロー状態を検出するもので、第３７図のように所定周期で読込まれるオーバーフローＳＷの信号がオフ状態のときは（２５．０１）、オーバーフロー球無タイマ（２秒）がタイムアップした状態でオーバーフローＳＷの信号がオフにあれば、オーバーフロー球無フラグに“１”をセットしオーバーフロー否と判定する（２５．１５〜２５．１７，２５１１〜２５．１４）。他方、オーバーフローＳＷの信号がオンに変わるとオーバーフロー球有タイマ（２秒）をセットし（２５．０１，２５．０７〜２５．０９）、次いでオーバーフロー球有タイマがタイムアップしたときにオーバーフローＳＷの信号がオンであれば、オーバーフロー球有フラグに“１”をセットしオーバーフロー状態と判定する（２５．０１，２５．０３〜２５．０６）。
　オーバーフローＳＷの信号が２秒間オンを継続したときにオーバーフロー状態と判定し、オーバーフローＳＷの信号がオフからオンとなってもその信号の変化が一時的であれば無効とする。これにより、基盤２の供給皿につながる流下樋１０から溢れたパチンコ球が分配樋４４を流下する際に検知片１０５に当たってオーバーフローＳＷがオンした場合に、誤検出を防止でき、オーバーフロー状態を正確に検出できる。
　半端センサ入力処理は、排出機構４２ａ，４２ｂの上流の誘導樋４１に設けた半端センサの信号により誘導樋４１内のパチンコ球の有無を検出するもので、第３８図のように所定周期で読込まれる半端センサの信号がオフ状態のときは（２６．０１）、半端球有タイマ（２秒）がタイムアップした状態で半端センサの信号がオフにあれば、半端センサ球有フラグに“１”をセットし球有りと判定する（２６．０７〜２６．０９）。他方、半端センサの信号がオンに変わると半端球無タイマ（２秒）をセットし（２６．０１，２６．１５〜２６．１７）、次いで半端球無タイマがタイムアップしたときに半端センサの信号がオンであれば半端センサ球無フラグに“１”をセットし球無しと判定する（２６．０１，２６．１１〜２６．１４）。
　半端センサの信号が２秒間オンを継続したときに球無しと判定し、半端センサの信号がオフからオンとなってもその信号の変化が一時的であれば無効とする。第５８図に半端センサ入力処理のタイミングチャートを示す。これにより、誘導樋４１内のパチンコ球に有無を正確に検出できる。
　発射モータ制御処理では、第３９図のように打球発射装置１４の操作ハンドルに設けたタッチセンサがオンでかつオーバーフローＳＷ入力処理（第３７図参照）によりオーバーフロー球無フラグ＝“１”のとき、モータ制御リレー２２５（第１８図参照）をオンして発射モータ１３を駆動し、タッチセンサがオフもしくはオーバーフロー球無フラグ≠“１”のとき、モータ制御リレー２２５をオフして発射モータ１３を停止する（２７．０１〜２７．０４）。
　即ち、遊技者が打球発射装置１４の操作ハンドルをつかんでないときもしくは賞球排出樋４３の分配樋４４がパチンコ球で一杯のオーバーフロー状態のときは、打球の発射を停止する。第５９図に発射モータ制御処理のタイミングチャートを示すと、オーバーフローＳＷ入力処理によりオーバーフローＳＷの信号がオフからオンに変わるとオン２秒後にモータ制御リレー２２５がオフされ、またその信号がオンからオフに変わるとオフ２秒後にモータ制御リレー２２５がオンされる。
　補給処理では、第４０図のように補給センサ入力処理（第２９図参照）により補給センサ立上フラグ＝“１”になれば、基盤２の前面上部の完了ランプ、打球発射装置１４の球供給機構に設けたシャッタＳｏｌおよび外部情報リレー２２６（第１８図参照）をオンし（２８．０１〜２８．０５）、補給センサ立下フラグ＝“１”になれば、完了ランプ、シャッタＳｏｌおよび外部情報リレー２２６をオフする（２８．０６〜２８．１０）。
　即ち、賞球排出装置１６の上タンク４０が空になり補給センサの信号がオンすると、完了を表示し、シャ．ツタＳｏｌによりシャッタ１２３を作動して打球発射装置１４の発射レールヘの球供給を遮断する。第６０図に補給処理のタイミングチャートを示す。なお、外部情報リレー２２６は上タンク４０への賞品球の補給を指令したり、完了情報を集中管理装置側に知らせるためのものである。ＬＣＤ表示処理は、第４１図（Ａ），（Ｂ）のようにモニタ表示部２１３のＬＣＤ−Ａ，Ｂにセーフセンサ１側の賞球数を、ＬＣＤ−Ｄ，Ｅにセーフセンサ２側の賞球数を表示すると共に、賞球数設定処理（第２１図〜第２３図参照）によりセーフセンサ１側の設定中を示すセーフ１賞球設定フラグ＝“１”のときＬＣＤ−Ｂｄを、セーフセンサ２側の設定中を示すセーフ２賞球設定フラグ＝“１”のときＬＣＤ−Ｅｄをオンし、同時にＬＣＤ−Ｃの中央セグメントを点滅する（２９．０１〜２９．１２）。
　また、賞球数設定処理を終えると、セーフセンサ１，２入力処理（第３３図、第３４図参照）によりセーフセンサ１にて入賞球を検出する毎にセーフ１球有フラグ＝“１”によりＬＣＤ−Ｂｄを、セーフセンサ２にて入賞球を検出する毎にセーフ２球有フラグ＝“１”によりＬＣＤ−Ｅｄをオンする（２９．１４〜２９．１９）。
　また、後述するが、各エラー時にＬＣＤ−Ｇ，Ｈにエラーの内容を数字にて表示し、ＬＣＤ−Ｇｄを点滅する（２９．２０〜２９．４９）。
　そして、第２１図（Ａ），（Ｂ）にて、常時監視処理に続きセーフセンサ１，２入力処理によるセーフ１球有フラグ＝“１”のときはセーフフラグにセーフセンサ１側の入賞を示す“０”をセットし、セーフ２球有フラグ＝“１”のときはセーフフラグにセーフセンサ２側の入賞を示す“１”をセットし、排出手段選択処理、排出開始条件確認処理、排出処理へ入る（０．２１〜０．２５，０．２６〜０．３０）。
　排出手段選択処理は、入賞がセーフセンサ１側かセーフセンサ２側かによって賞球数設定処理により設定された賞球数を選択すると共に、選択された賞球数に合った排出方法を選定、指示するもので、第４２図のようにセーフフラグによりセーフセンサ１側の入賞であればセーフセンサ１側の賞球数を、セーフセンサ２側の入賞であればセーフセンサ２側の賞球数を排出レジスタ０にセットし（３０．０１〜３０．０２）、セットした賞球数が“１”のときには１個排出フラグを“１”に、交互排出フラグを“０”にセットし（３０．０４〜３０．０６）、賞球数が“２”〜“８”のときには１個排出フラグを“０”に、交互排出フラグを“１”に、かつ賞球数を排出レジスタ１にセットする（３０．０７〜３０．１０）。また、賞球数が“９”以上のときには、第４３図の排出数分割処理にて賞球数を分割し、賞球数が“９”のときは排出レジスタ１に“５”を排出レジスタ２に“４”を、“１０”のときは排出レジスタ１，２に“５”を、“１１”のときは排出レジスタ１に“６”を排出レジスタ２に“５”を、‥‥‥“１５”のときは排出レジスタ１に“８”を排出レジスタ２に“７”をセットし（３１．０１〜３１．２０）、１個排出フラグと交互排出フラグを“０”にセットする（３０．１１〜３０．１３）。
　排出開始条件確認処理は、排出開始ＯＫかどうかを判定するもので、常時監視処理、排出装置不正監視処理の後、第４４図のように半端センサ入力処理（第３８図参照）による半端センサ球有フラグと、排出センサ１，２レベル入力処理（第３５図、第３６図参照）による排出センサ１，２球有フラグと、オーバフローＳＷ入力処理（第３７図参照）によるオーバフロー球無フラグとがすべて“１”であれば、そのまま排出処理に進む（４０．０３〜４０．０８）。即ち、誘導樋４１の下流部にパチンコ球が有り、排出機構４２ａ，４２ｂの調流樋７２ａ，７２ｂに排出ストッパ機構７３ａ，７３ｂにより流下を阻止されたパチンコ球が有り、かつ分配樋４４がオーバーフロー状態で無ければ排出処理に進み、これらの１つでも否のときは、再び常時監視処理、排出装置不正監視処理に移行し、待機状態となる。
　即ち、誘導樋４１の下流部までパチンコ球が有れば、賞球排出時に上タンク４０が空もしくは補給中でも、半端な数の賞品球が排出されることはなく、所定の賞球排出が可能となる。また、誘導樋４１や調流樋７２ａ，７２ｂにパチンコ球が無ければ、補給待ちとなる。また、分配樋４４がオーバーフロー状態であれば、遊技者が受皿内の球を取り除きオーバーフロー状態を解除すれば、賞球排出が可能となる。したがって、これらの条件により排出開始ＯＫかどうかを適確に判定できる。排出開始ＯＫにより排出処理に進むと、第４５図（Ａ），（Ｂ）のように排出処理フラグに処理中を示す“１”を立て、後述する排出不正監視カウンタ１，２を“０”にし、排出手段選択処理（第４２図、第４３図）でセットされた１個排出フラグおよび交互排出フラグにしたがい１個排出処理または交互排出処理または併用排出処理を行う（５０．０１〜５０．０７）。
　１個排出処理（賞球数“１”）は、２系統の排出機構４２ａ，４２ｂのいずれかより賞品球１個を排出するもので、第４６図のようにまず反転フラグ処理（第５１図）に応じて排出機構４２ａ，４２ｂの排出ストッパ機構７３ａ，７３ｂのいずれかを選択する。そして、１個排出タイマ（３５ｍ秒）をセットすると共に、選択した側の排出ストッパ機構７３ａまたは７３ｂの排出Ｓｏｌ１または２をオンし（５１．０１〜５１．０５）、１個排出タイマがタイムアップすると、当該排出Ｓｏｌ１または２をオフする（５１．０９〜５１．１３）。同時に排出Ｓｏｌ１または２のオン中に、セーフフラグによりセーフセンサ１，２に対応する遊技盤１の左右上部のセーフランプ１，２を点灯する（５１．０６〜５１．０８，５１．１４〜５１．１６）。
　第６１図に１個排出処理のタイミングチャートを示すと、排出開始条件確認処理（第４４図）により排出開始ＯＫで、例えば排出ストッパ機構７３ａの排出Ｓｏｌ１をオンし、３５ｍ秒後にその排出Ｓｏｌ１をオフし、次に１個排出を行う場合に再び排出開始ＯＫで、例えば排出ストッパ機構７３ｂの排出Ｓｏｌ２をオンし、３５ｍ秒後にその排出Ｓｏｌ２をオフする。なお、排出Ｓｏｌ１，２のオン、オフに応じて排出センサ１，２は一旦オフとなった後、オンとなる。
　排出ストッパ機構７３ａまたは７３ｂの排出Ｓｏｌ１または２をオンすると、係止爪８６ａまたは８６ｂが対応する調流部８１内から後退して係止爪８６ａまたは８６ｂにより流下を阻止されていたパチンコ球が解放され、この解放により対応する調流部８１内の先頭の球１個が賞球排出樋４３へ落下し、続いて２番目以降の球が流下を始めるものの、３５ｍ秒後にその排出Ｓｏｌ１または２をオフすると、２番目の球が流下を始めた直後に係止爪８６ａまたは８６ｂが対応する調流部８１内に進入し、２番目以降の球が係止爪８６ａまたは８６ｂにより流下を阻止される（第１２図（Ａ），（Ｂ）参照）。これにより賞品球１個が排出される。
　１個排出の場合、排出Ｓｏｌ１，２（選択した側）をオンした後、排出センサ１，２の立上りの検出により排出Ｓｏｌ１，２をオフしたのでは、排出センサ１，２の検出位置（流下を阻止された状態で先頭に続く２番目の球を検出）に関係して球２個が排出されてしまうため、１個の排出は無理であり、また排出センサ１，２の立下りを検出して排出Ｓｏｌ１，２をオフした場合、調流部８１の傾斜を緩くして球の流下速度を遅くしないと、排出Ｓｏｌ１，２のオフが遅れるため、やはり１個の排出は無理であるが、このように排出Ｓｏｌ１，２を規定時間オンすることで、即ち時間制御とすることで賞品球１個を適確に排出することができる。なお、調流部８１の傾斜を緩くして球の流下速度を遅くすると、賞球数の多い交互排出処理や併用排出処理での排出時間および処理時間が長くなってしまうため、不適である。
　交互排出処理（賞球数“２”〜“８”）は、賞球数の“２”〜“８”に該当する賞品球を２系統の排出機構４２ａ，４２ｂのいずれかより排出するもので、第４７図（Ａ），（Ｂ）のようにまず賞球数をセットしてある排出レジスタ０（第４２図の排出手段選択処理による）の値を−１し、排出エラータイマ（３秒）をセットし、反転フラグ処理（第５１図）に応じて排出機構４２ａ，４２ｂの排出ストッパ機構７３ａ，７３ｂのいずれかを選択する（５２．０１〜５２．０７）。そして、排出ストッパ機構７３ｂを選択した場合、排出Ｓｏｌ２をオンすると共に、排出センサ２入力処理（第２７図参照）により排出センサ２立上りフラグ＝“１”となる毎に、つまり排出センサ２がパチンコ球の立上りを検出する毎に排出レジスタ０の値を−１し、排出レジスタ０の値が“０”になると、５ｍ秒後に当該排出Ｓｏｌ２をオフする（５２．０８〜５２．１３）。また、排出ストッパ機構７３ａを選択した場合、排出Ｓｏｌ１をオンすると共に、排出センサ１入力処理（第２６図参照）により排出センサ１立上りフラグ＝“１”となる毎に、つまり排出センサ１がパチンコ球の立上りを検出する毎に排出レジスタ０の値を−１し、排出レジスタの値が“０”になると、５ｍ秒後に当該排出Ｓｏｌ１をオフする（５２．２５〜５２．３０）。同時に、排出Ｓｏｌ２または１のオン中に、セーフフラグによりセーフセンサ１，２に対応する遊技盤１の左右上部のセーフランプ１，２を点灯する（５２．０３〜５２．０５，５２．１４〜５２．１６，５２．３１〜５２．３３等）。第６２図に交互排出処理のタイミングチャートを示すと（賞球数が４個の場合）、排出開始条件確認処理（第４４図）により排出開始ＯＫで、例えば排出ストッパ機構７３ａの排出Ｓｏｌ１をオンし、このオンにより係止爪８６ａが後退して対応する調流部８１からパチンコ球が流下を始め、これに伴い排出センサ１が流下するパチンコ球の立上りを検出し、その立上りを所定回数（賞球数−１）検出すると、検出後５ｍ秒後に排出Ｓｏｌ１をオフする。また、次に交互排出を行う場合に再び排出開始ＯＫで、例えば排出ストッパ機構７３ｂの排出Ｓｏｌ２をオンし、同様に対応する調流部８１からパチンコ球が流下を始め、排出センサ２が流下するパチンコ球の立上りを検出し、その立上りを所定回数（賞球数−１）検出すると、検出後５ｍ秒後に排出Ｓｏｌ２をオフする。
　即ち、排出ストッパ機構７３ａまたは７３ｂの排出Ｓｏｌ１または２のオンにより、係止爪８６ａまたは８６ｂが後退して対応する調流部８１から先頭のパチンコ球が、続いて調流部８１上流および誘導部８０側から後続球が流下を始め、これらの球は先頭の球から順に賞球排出樋４３へ落下すると共に、これに伴い当該排出センサ１または２によるパチンコ球の立上り検出から流下するパチンコ球をカウントする。この際、排出センサ１，２の位置により調流部８１の先頭の球および２番目の球はカウントされず、３番目の球からカウントされる。そして、パチンコ球を所定数カウントし、５ｍ秒後に当該排出Ｓｏｌ１または２をオフすると、前回カウントされた球は対応する係止爪８６ａまたは８６ｂが調流部８１内に進入する前に賞球排出樋４３へ落下し、現カウント時の球およびその後続球は調流部８１内に進入した対応する係止爪８６ａまたは８６ｂにより流下を阻止される（第１２図（Ａ），（Ｂ）参照）。これにより、先頭の球および２番目の球と合わせ、カウント数に＋１した数の賞品球が排出される。第６２図の場合にはカウント数が３で４個の賞品球が排出される。
　このように、交互排出処理ではまず排出レジスタ０にセットされた賞球数を−１し（第４７図（Ａ）の５２．０１による）、その−１した数だけパチンコ球をカウントして排出Ｓｏｌをオフすることで、賞球数に該当する賞品球を適確に排出することができる。なお、排出Ｓｏｌ１，２（選択した側）のオン中、調流部８１の先頭の球と２番目の球はほぼ接しながら調流部８１を流下し、誘導部８０からの３番目以降の球は略４５度の角度で調流部８１が続くため、方向を変えつつ前方の球と漸次離間して調流部８１を流下し、さらに垂直部７９からの後続球は誘導部８０の上壁８５により速度、間隔を調整されるため、それぞれ所定の離間距離で調流部８１を流下する。このため、排出Ｓｏｌ１１，２をオフした際、賞球数が多いときほど係止爪８６ａ，８６ｂの調流部８１内への進入は容易になるものの、賞球数が２個の場合でも係止爪８６ａ，８６ｂの進入は容易である。
　また、１個排出処理ならびに交互排出処理は、処理に入る毎に反転フラグ処理（第５１図）によって２系統の排出機構４２ａ，４２ｂのいずれかより賞品球の排出を行うかを選択している。即ち、入賞球に応じて１個排出が連続して行われる場合、例えば初めの入賞に対しては排出機構４２ａ側にて排出が行われ、次の入賞に対しては排出機構４２ｂ側にて排出が行われる（第６１図参照）。同様に交互排出が連続して行われる場合、例えば初めの入賞に対しては排出機構４２ａ側にて排出が行われ、次の入賞に対しては排出機構４２ｂ側にて排出が行われる（第６２図参照）。また、１個排出と交互排出とが連続する場合、例えばまず１個排出が排出機構４２ａ側にて行われると、次の交互排出が排出機構４２ｂ側にて行われる。このように、２系統の排出機構４２ａ，４２ｂを交互に使用して賞品球の排出を行うため、誘導樋４１内等で球の流れが偏って球詰まり等を生じるといったことを防止でき、賞品球のスムーズな排出を保てる。なお、賞球数の設定によって１個排出あるいは交互排出のどちらか一方のみを使用する場合でも、もちろん反転フラグ処理により排出機構４２ａ，４２ｂは交互に使用される。
　併用排出処理（賞球数“９”以上）は、賞球数の“９”〜“１５”に該当する賞品球を両排出機構４２ａ，４２ｂから排出するもので、第４８図（Ａ），（Ｂ）のようにまず賞球数を分割セットしてある排出レジスタ１，２（第４３図の排出数分割処理による）の値を−１し、排出エラータイマ（３秒）をセットする（５３．０１〜５３．０５）。そして、両排出ストッパ機構７３ａ，７３ｂの排出Ｓｏｌ１，２をオンすると共に（５３．０９，５３．１０）、排出センサ１，２入力処理（第２６図、第２７図参照）により排出センサ１，２がそれぞれパチンコ球の立上りを検出する毎に対応する排出レジスタ１，２の値を−１し、排出レジスタ１の値が“０”になると５ｍ秒後に該当排出Ｓｏｌ１をオフし、排出１終了フラグに終了を示す“１”を立て（５３．１１〜５３．１７）、また排出レジスタ２の値が“０”になると５ｍ秒後に該当排出Ｓｏｌ２をオフし、排出２終了フラグに終了を示す“１”を立てる（５３．１８〜５３．２４）。同時に、排出Ｓｏｌ１，２のオン中に、セーフフラグによりセーフセンサ１，２に対応する遊技盤１の左右上部のセーフランプ１，２を点灯する（５３．０６〜５３．０８，５３．２８〜５３．３０等）。
　第６３図に併用排出処理のタイミングチャートを示すと（賞球数が９個の場合と１５個の場合）、排出開始条件確認処理（第４４図）により排出開始ＯＫで、両排出ストッパ機構７３ａ，７３ｂの排出Ｓｏｌ１，２をオンし、これらのオンにより係止爪８６ａ，８６ｂが後退して両調流部８１からパチンコ球が流下を始め、これに伴い排出センサ１，２が流下するパチンコ球の立上りを検出する。そして、排出センサ１，２がそれぞれ立上りを所定回数（排出レジスタ１，２のセット値−１）検出すると、この場合賞球数が９個のときは、排出レジスタ２のセット値＝４により排出センサ２が３回、排出レジスタ１のセット値＝５により排出センサ１が４回立上りを検出すると、それぞれ検出後５ｍ秒後に該当排出Ｓｏｌ１，２をオフする。また、賞球数が１５個のときは、排出レジスタ２のセット値＝７により排出センサ２が６回、排出レジスタ１のセット値＝８により排出センサ１が７回立上りを検出すると、それぞれ検出後５ｍ秒後に該当排出Ｓｏｌ１，２をオフする。
　即ち、両排出ストッパ機構７３ａ，７３ｂの排出Ｓｏｌ１，２のオンにより、係止爪８６ａ，８６ｂが後退してそれぞれ調流部８１から先頭のパチンコ球が、続いてこれらの後続球が流下を始め、これらの球は先頭の球から順に賞球排出樋４３へ落下するが、これに伴い排出センサ１，２によるパチンコ球の立上り検出からそれぞれ調流部８１を流下するパチンコ球を、対応する排出レジスタ１，２のセット値から−１した所定数カウントし、それぞれカウント５ｍ秒後に該当排出Ｓｏｌ１，２をオフすることで、排出機構４２ａ側の調流部８１から排出レジスタ１のセット値に応じた賞品球が排出され、排出機構４２ｂ側の調流部８１から排出レジスタ２のセット値に応じた賞品球が排出される。この際、排出センサ１，２の位置によりそれぞれ調流部８１の先頭の球および２番目の球はカウントされず、３番目の球からカウントされ、またそれぞれ最終カウント時の球およびその後続球は排出Ｓｏｌ１，２のオフにより流下を阻止される。これにより、第６３図のように賞球数が９個のときは排出機構４２ａ側の調流部８１から５個の賞品球が、排出機構４２ｂ側の調流部８１から４個の賞品球が排出され、賞球数が１５個のときは排出機構４２ａ側の調流部８１から８個の賞品球が、排出機構４２ｂ側の調流部８１から７個の賞品球が排出される。
　このように、併用排出処理では排出レジスタ１，２にセットされた値を−１し（第４８図（Ａ）の５３．０３，５３．０４による）、それぞれ−１した数だけパチンコ球をカウントして排出Ｓｏｌ１，２をオフすることで、賞球数に該当する賞品球を適確に排出することができる。また、併用排出処理は、賞球数が多いときに両排出機構４２ａ，４２ｂを使用して賞品球を排出するため、排出時間を短縮できる。なお、併用排出処理の場合、誘導部８０上流の垂直部７９以降からの球が調流部８１を流下し、球の間隔が大きいときに排出Ｓｏｌ１，２をオフするため、もちろん係止爪８６ａ，８６ｂの調流部８１内への進入は容易である。
　ところで、これらの排出処理において、排出Ｓｏｌ１，２や排出センサ１，２等が故障した場合、排出エラーを生じることがある。これに対し、交互排出処理ならびに併用排出処理にて対応する排出レジスタ０，１，２の値が“０”になる前に排出エラータイマ（３秒）がタイムアップしたときは、排出エラーとし、該当排出Ｓｏｌ１，２をオフして排出エラー処理に入る（第４７図（Ａ），（Ｂ）の５２．１７〜５２．２３，５２．３４〜５２．４０、第４８図（Ｂ）の５３．３１〜５３．３８）。
　即ち、排出Ｓｏｌ１や２等の故障により、これらをオンしても係止爪８６ａや８６ｂが調流部８１から後退しなくなった場合には、賞品球が排出されず、また排出処理途中で排出Ｓｏｌ１や２のオンにもかかわらず係止爪８６ａや８６ｂが調流部８１内に進入してしまった場合には、規定数の賞品球が排出されないが、これらの場合には該当排出センサ１，２による賞球のカウント数が不足することになる。また、排出センサ１や２等の故障により、センサ信号がオン状態のままにあるいはオフ状態のままになってしまった場合には、排出処理により賞品球が排出されても賞球がカウントされず、この場合もカウント数が不足するのである。したがって、各排出エラーに対して排出エラータイマによる所定時間の経過時の該当排出レジスタ０，１，２の値から排出エラーを適確に検知することができる。
　排出エラーにより排出エラー処理に入ると、第４９図のようにまず排出エラーフラグに処理中を示す“１”を立て、セーフランプ１および２を点灯すると共に（５４．０１〜５４．０３）、前述した常時監視処理を繰り返し、正常動作に復帰するまでの待機状態となる（５４．０９，５４．１２，５４．１４）。この待機状態で係員により排出Ｓｏｌ１，２や排出センサ１，２等の故障箇所の復旧が行われる。そして、復旧すると、排出センサ１，２レベル入力処理（第３５図、第３６図）により該当排出センサ１，２が２秒間オン状態を継続し排出１，２エラー解除フラグ＝“１”となったときに復帰とし、排出処理前の排出開始条件確認処理に戻る（５４．０６，５４．０８，５４．１１，５４．１４，５４．１５〜５４．１８）。なお、エラー処理の後、エラー前の賞球数を対応排出レジスタ０，１，２に再セットする（第４７図（Ａ），（Ｂ）の５２．２４，５２．４１、第４８図（Ｂ）の５３．３９）。
　第６４図に排出エラー処理および復旧後のタイミングチャートを示すと（併用排出処理による賞球数が９個の場合）、排出Ｓｏｌ１，２のオンと同時に排出エラータイマ（３秒）がスタートし、例えば排出センサ２側にてパチンコ球を規定数カウントすると排出Ｓｏｌ２はオフされるが、排出センサ１側にてパチンコ球を規定数カウントする前に排出エラータイマがタイムアップすると、排出エラーと判定してタイムアップと同時に排出Ｓｏｌ１がオフされ、復旧待ちとなる。そして、復旧が済めば、該当センサ１が２秒間オン状態を継続したときに排出開始条件が判定され、ＯＫであれば再度同じ賞球数にて排出処理を行う。特に、このようにエラーを生じたとしても復旧後再度同じ賞球数にて排出処理を行うことで、入賞に対し必ず所定の賞品球が排出されることになり、このため賞球による遊技者とのトラブルを防止できる。なお、排出処理前、排出処理中にかかわらず、排出Ｓｏｌ１や２の故障等により係止爪８６ａや８６ｂが調流部８１から後退したままの状態となって賞品球が排出されてしまう場合、排出装置不正監視処理にてエラー処理が行われる。また、排出センサ１や２がオフ状態で故障した場合、排出処理前であれば排出開始条件を満たさないため、排出処理に入らず復旧への待機状態となり（第４４図参照）、排出センサの故障を判定できる。
　そして、前述の排出処理を終了すると、第４５図（Ａ），（Ｂ）の処理に戻りセーフフラグに応じてその排出処理がセーフセンサ１側の入賞によるものであれば、ストッパ機構２０ａのセーフＳｏｌ１をオンし、セーフセンサ２側によるものであれば、ストッパ機構２０ｂのセーフＳｏｌ２をオンし、同時に排出ウエイトタイマ（４００ｍ秒）、セーフ球払出エラータイマ（２００ｍ秒）をセットする（５０．０８〜５０．１２）。そして、該当セーフＳｏｌ１，２のオンにより、対応する調流樋１８ａまたは１８ｂの調流部２９内の該当入賞球が解放され導出樋１９ａまたは１９ｂ側へ排出すると、セーフセンサ１，２入力処理（第３３図、第３４図）により対応するセーフ（１または２）球無フラグが“１”となつたときにセーフ球払出ウエイトタイマ（１００ｍ秒）をセットし、セーフ球払出ウエイトタイマのタイムアップ後に該当セーフＳｏｌ１，２をオフする（５０．１３〜５０．２１）。
　第６５図にセーフ球払出処理のタイミングチャートを示すと、セーフセンサ１側の入賞により排出処理が行われた場合、排出処理終了と同時にストッパ機構２０ａのセーフＳｏｌ１をオンし、このオンにより係止爪３３ａが後退して対応する調流部２９から入賞球が導出樋１９ａへ排出すると、入賞球の排出をセーフセンサ１が４ｍ秒間オフ状態となることで確認し、その１００ｍ秒後にセーフＳｏｌ１をオフする。また、セーフセンサ１側の入賞に続いてセーフセーフ２側に入賞した場合、セーフセンサ１側の入賞による排出処理の終了後、排出ウエイトタイマ（４００ｍ秒）がタイムアップしたときにセーフセンサ２側の入賞による排出処理を行い、その排出処理終了と同時にストッパ機構２０ｂのセーフＳｏｌ２をオンし、このオンにより係止爪３３ｂが後退して対応する調流部２９から入賞球が導出樋１９ｂへ排出すると、入賞球の排出をセーフセンサ２が４ｍ秒間オフ状態となることで確認し、その１００ｍ秒後にセーフＳｏｌ２をオフする。
　セーフ球払出は排出処理の終了により行うため、排出処　理時に前述したエラー等によって所定の賞品球が排出されなかった場合、対応する係止爪３３ａまたは３３ｂにより該当入賞球は流下を阻止されたままの状態となり、導出樋１９ａまたは１９ｂ側に排出されることはない。また、セーフＳｏｌ１，２のオンにより係止爪３３ａ，３３ｂが後退する一方、上流側の係止爪３４ａ，３４ｂが対応する調流部２９内に進入し、セーフＳｏｌ１，２をオフすると係止爪３４ａ，３４ｂが後退する一方、係止爪３３ａ，３３ｂが対応する調流部２９内に進入する（第３図（Ａ），（Ｂ）参照）。このため、調流部２９内に後続の入賞球が有るときは、後続の入賞球はセーフＳｏｌ１，２のオフにより前の入賞球と入れ代わり、対応係止爪３３ａ，３３ｂにて流下を阻止される。
　また、排出ウェイトタイマ、セーフ球払出エラータイマならびにセーフ球払出ウエイトタイマのセット状態で、排出装置不正監視処理、常時監視処理を行う（５０．２６〜５０．２９，５０．３７，５０．３８）。また、排出ウエイトタイマはセーフセンサ１側、２側にかかわらず入賞が続いたときの排出処理の間隔を設定するもので、セーフ球払出処理に要する時間等により決定される。この排出ウエイトタイマにより、入賞が続く場合、排出処理、セーフ球払出処理が確実に終了してから次の排出処理に入ることになり、安定した制御が得られる。
　一方、該当セーフＳｏｌ１，２のオン後、対応するセーフ（１または２）球無フラグが“１”にならないのにセーフ球払出エラータイマ（２００ｍ秒）がタイムアップした場合、払出エラーとし、セーフ球払出エラー処理に入る（５０．２４，５０．２５）。セーフＳｏｌ１や２等の故障により係止爪３３ａや３３ｂが調流部２９から後退しなくなったときや、セーフセンサ１や２がオン状態で故障したとき等に払出エラーとなるが、これらはセーフ球払出エラータイマによる所定時間の経過時の対応するセーフ（１または２）球無フラグにより検知することができる。
　そして、セーフ球払出エラー処理に入ると、第５０図のようにセーフ球払出エラーフラグにエラーを示す“１”を立て、排出機構４２ａ，４２ｂのロックＳｏｌをオフし（５５．０１，５５．０２）、該当セーフランプ１，２を点灯すると共に、該当セーフセンサ１，２が球無しを検出するまで、排出装置不正監視処理、常時監視処理を行い、待機状態となる（５５．０３〜５５．１１）。この待機状態で係員によりセーフＳｏｌ１，２やセーフセンサ１，２等の故障箇所の復旧が行われる。そして、復旧後、該当セーフセンサ１，２が球無しを検出すると第４５図（Ａ），（Ｂ）に戻り、セーフ球払出ウェイトタイマのタイムアップ後、ロックＳｏｌをオンし、該当セーフＳｏｌ１，２をオフする（５０．３０〜５０．３６）。
　第６６図にセーフ球払出エラー処理のタイミングチャートを示すと、該当セーフＳｏｌ１，２をオンと同時にセーフ球払出エラータイマ（２００ｍ秒）をスタートし、そのタイムアップ時まで該当セーフセンサ１，２が球無しを検出せずオン状態であれば、払出エラーと判定してロックＳｏｌをオフし、復旧待ちとなる。そして、復旧が済み該当セーフセンサ１，２が球無しを検出すれば、ロックＳｏｌをオンし、該当セーフＳｏｌ１，２をオフしてエラー処理の終了となる。この際、調流部２９内に後続の入賞球が有るときは、後続の入賞球は該当セーフＳｏｌ１，２のオフにより対応係止爪３３ａ，３３ｂの位置まで流下し、停止する。
　即ち、払出エラーを適確に検知できると共に、払出エラー時には待機状態となるので、セーフセンサ１，２の誤動作等により払出エラーのまま排出処理に入ることを防止できる。
　排出開始条件確認処理（第４４図）、排出処理（第４５図（Ａ），（Ｂ））、セーフ球払出エラー処理（第５０図）ならびにメインフロー（第２１図（Ｂ））にて行われる排出装置不正監視処理は、排出処理前、排出処理中、排出処理後ならびに入賞球無しのときにかかわらず排出機構４２ａ，４２ｂによる賞品球の排出を監視するもので、該処理に入ると、第５２図のように排出センサ１，２入力処理（第２６図、第２７図）により排出センサ１，２立上りフラグが“１”となる毎に該当排出不正監視カウンタ１，２を＋１し、該当カウンタ１，２の値が“３”以上になると、不正として排出不正フラグに“１”を立て、排出機構４２ａ，４２ｂのロックＳｏｌをオフし、両セーフランプ１，２を点灯する（６０．０１〜６０．１２）。
　即ち、入賞球無しのときや排出開始条件確認処理にて、何らかの異常により賞品球が排出されてしまう場合、排出センサ１や２によりパチンコ球の立上りを３回検出し該当排出不正監視カウンタ１，２の値が“３”以上になると、排出に不正（異常）有りと判定して、ロックＳｏｌをオフし、両セーフランプ１，２をオンし、待機状態となる。また、排出処理にて、何らかの異常により賞品球が規定数以上に排出されてしまう場合、１個排出処理や交互排出処理や併用排出処理の終了後に同じく排出センサ１や２によりパチンコの立上りを検出し該当排出不正監視カウンタ１，２の値が“３”以上になると、排出に不正（異常）有りと判定して、ロックＳｏｌをオフし、両セーフランプ１，２をオンし、待機状態となる。また、セーフ球払出エラー処理中に、何らかの異常により賞品球が排出されてしまう場合、同じく排出センサ１や２によりパチンコ球の立上りを検出し該当排出不正監視カウンタ１，２の値が“３”以上になると、排出に不正（異常）有りと判定して、ロックＳｏｌをオフし、両セーフランプ１，２をオンし、待機状態となる。
　排出の不正には、排出ストッパ機構７３ａや７３ｂの係止爪８６ａや８６ｂが排出Ｓｏｌ１や２の故障等により調流部８１から後退したままの状態となったり、あるいは不正行為により係止爪８６ａや８６ｂが強制的に後退位置に動かされることで、賞品球が排出されてしまう場合があるが、常に賞品球の排出を監視しているので、排出に不正が有った場合に不正は直ちに検知され、また不正を検知するとロックＳｏｌをオフするので、ロックＳｏｌより上流側の賞品球は流下を阻止され、賞品球の排出は直ちに停止される。
　そして、待機状態にて係員により故障等あるいは不正等に対する復旧が行われ、復旧後回復スイッチ（第１８図参照）をオンすると、セーフランプ１，２をオフし、ロックＳｏｌをオンし、排出不正監視カウンタ１，２、排出不正フラグを“０”にする（６０．１３〜６０．１９）。
　第６７図に排出装置不正監視処理のタイミングチャートを示すと、排出処理中でないとき、例えば排出センサ１により球の移動を検出した場合、球の立上りを検出する毎に排出不正監視カウンタ１を＋１し、該カウンタ１が“３”になると同時にロックＳｏｌをオフし、両セーフランプ１，２をオンし、復旧待ちとなる。そして、復旧が済み、回復スイッチをオンすると、カウンタ１をクリアし、ロックＳｏｌをオンし、両セーフランプ１，２をオフし、処理終了となる。
　このように、排出Ｓｏｌ１，２等の故障や不正行為等による排出の不正を適確に検知できると共に、不正時にはロックＳｏｌにより賞品球の排出が直ちに停止され、待機状態となるため、不正行為の防止に対し充分に対応できる。
　第５３図（Ａ）〜（Ｄ）には球抜き処理を示し、球抜き処理は遊技機の打止め時や遊技店の閉店時および各装置の故障、点検時等に行われる。球抜き処理は入賞球があるときや賞球排出中および各エラー処理中は不可である（第２１図（Ｂ）の０．３３）。
　基盤２の前面の操作孔よりピン等の器具を挿入して球抜きセンサをオンし、球抜き開始フラグ＝“１”（第２８図の球抜きセンサ入力処理による）になると、球抜き開始フラグを“０”にし、球抜きエラータイマ（３秒）をセットして球抜きＳｏｌをオンする（７０．０１〜７０．０３）。そして、球抜きＳｏｌのオンにより球抜き樋４５の分岐部に設けた球抜きゲート１０７が所定の位置まで開動し、ゲートセンサがオンしてゲートセンサ立上フラグ＝“１”（第３０図のゲートセンサ入力処理による）になると、球抜き開始タイマ（１秒）の経過後に排出ストッパ機構７３ａ，７３ｂの両排出Ｓｏｌ１，２をオンする（７０．０４〜７０．１０）。
　即ち、球抜きＳｏｌのオン後、球抜きゲート１０７が球抜き樋４５を確実に開いたこと（賞球排出樋４３は閉）を確認し（第１３図（Ａ），（Ｂ）参照）、この確認後排出Ｓｏｌ１，２をオンして調流部８１から係止爪８６ａ，８６ｂを後退させる。これにより、賞球排出装置１６の上タンク４０に残っている賞品球ならびに誘導樋４１や排出機構４２ａ，４２ｂ内の賞品球が賞球排出樋４３から球抜き樋４５へと流下し、パチンコ機後方の図示しない回収樋に排出、回収される。
　この場合、球抜きＳｏｌをオンしても球抜きゲート１０７が所定の位置まで開かずゲートセンサ立上フラグ＝“１”にならないときは、エラーとして球抜きエラータイマの経過後に球抜きＳｏｌをオフし、球抜きセンサのオン操作をキャンセルする（７０．１１，７０．１２）。
　そして、上タンク４０、誘導樋４１、排出機構４２ａ，４２ｂ内の賞品球が回収樋に排出され、排出センサ１，２がオフとなると、排出１，２球無タイマ（３秒）をセットし、このタイマ経過後に排出Ｓｏｌ１，２をオフし、次いで球抜きＳｏｌをオフする（７０．１８〜７０．３７，７０．４０〜７０．４４）。この際、いったん排出センサ１，２がオフしても、上タンク４０等で流出せずに残っていた球が遅れて流下し排出センサ１，２がオンすることがあれば、該当排出１，２球無タイマを再セットし、このタイマ経過後に排出Ｓｏｌ１，２、球抜きＳｏｌをオフする（７０．２１〜７０．２４，７０．３０〜７０．３３）。
　これにより、賞品球がすべて排出、回収されると共に、排出センサ１，２がオフ状態を３秒間継続した後に係止爪８６ａ，８６ｂが調流部８１内に戻り、球抜きゲート１０７が球抜き樋４５の閉位置（賞球排出樋４３は開）に戻り、自動的に終了となる。なお、球抜き処理開始後排出Ｓｏｌ１，２がオンされるまでの間、賞品球の不正排出を監視するように常時監視処理、排出装置不正監視処理を行う（７０．１３〜７０．１６）。
　第６８図に球抜き処理のタイミングチャートを示すと、球抜きセンサのオン検出により球抜きＳｏｌをオンし、この１秒後に排出Ｓｏｌ１，２をオンすることで球抜きが開始される。そして、球抜きが終了すると、排出センサ１，２が３秒間オフとなったときに排出Ｓｏｌ１，２、球抜きＳｏｌをオフし、終了となる。
　このように、球抜きセンサのオンにより球抜きを行えると共に、賞品球がすべて排出、回収され排出センサ１，２が３秒間オフすると、排出Ｓｏｌ１，２、球抜きＳｏｌのオフにより係止爪８６ａ，８６ｂ、球抜きゲート１０７がもとの位置に戻り自動終了となるので、球抜き終了時に何らの確認、操作等必要なく、作業が楽である。
　また、球抜き処理の途中にて球抜きを強制的に中止したい場合には、基盤２の操作孔より再びピン等の器具を挿入して球抜きセンサを再度オンすることにより、球抜きが強制的に終了となる。
　即ち、球抜きＳｏｌのオン後球抜きセンサをオンすると、再び球抜き開始フラグが“１”となって、このとき排出Ｓｏｌ１，２のオン前であれば、強制終了タイマ（１秒）、球抜き終了タイマ（３秒）の経過後に球抜きＳｏｌをオフする（７０．０６→７０．４９〜７０．５２，７０．６５〜７０．６９）。また、排出Ｓｏｌ１，２のオン後であればつまり賞品球の回収中であれば、排出センサ１，２が球の立上りを検出し排出センサ１，２立上りフラグが“１”となったとき（第２６図、第２７図の排出センサ１，２入力処理による）に該当排出Ｓｏｌ１，２をオフし、球抜き終了タイマの経過後に球抜きＳｏｌをオフする（７０．１８→７０．４５〜７０．６９）。また、賞品球の回収を終えていれば、その時点で該当排出Ｓｏｌ１，２をオフする（７０．４６，７０．４８）。これにより、係止爪８６ａ，８６ｂが調流部８１内に戻り、球抜きゲート１０７が球抜き樋４５の閉位置に戻り、強制終了となる。なお、強制終了時にも球抜きＳｏｌをオフするまで、賞品球の不正排出を監視するように常時監視処理、排出装置不正監視処理を行う（７０．７０，７０．７１）。
　第６９図に球抜き処理の強制終了のタイミングチャートを示すと（賞品球回収中の場合）、球抜き処理の途中にて球抜きセンサの再度のオン検出により、排出センサ１，２が球の立上りを検出した時点で該当排出Ｓｏｌ１，２をオフし、その３秒後に球抜きＳｏｌをオフする。
　この強制終了では、賞品球回収中の場合立上りを検出された球および後続球は調流部８１内に戻る係止爪８６ａ，８６ｂにより、難無く流下を阻止される。
　ところで、球抜き中に何らかの異常によりゲートセンサがオフとなってゲート立下フラグが“１”となった場合、つまり球抜きＳｏｌのオン中にもかかわらず球抜きゲート１０７が動き賞球排出樋４３が開いてしまった場合、強制終了の場合と同様に排出センサ１，２が球の立上りを検出した時点等で直ちに排出Ｓｏｌ１，２をオフし、さらに球抜きＳｏｌをオフする（７０．３９→７０．４５〜７０．６９）。
　球抜き中に賞球排出樋４３が異常に開くことは、球抜きＳｏｌが故障したとき、あるいはピアノ線等を用いての不正行為により球抜きゲート１０７の位置が強制的に切り替えられたとき等であるが、このような場合ゲートセンサがオフに変わったことで異常を直ちに検知でき、また異常を検知すると排出Ｓｏｌ１，２を強制的にオフするので、賞品球の流出は直ちに停止され、回収すべき賞品球が賞球排出樋４３から基盤２の供給皿側に排出されることはない。これにより、球抜きＳｏｌの故障等に対し充分に対応でき、かつ前述のような不正行為を確実に防止できる。
　また、球抜きＳｏｌのオフにより球抜き終了となるが、この場合球抜きＳｏｌのオフと同時に自動終了の場合は球抜きエラータイマ（３秒）を、強制終了等の場合はゲートエラータイマ（４秒）をセットし、球抜きＳｏｌのオフにより球抜きゲート１０７が球抜き樋４５の閉位置（賞球排出樋４３は開）まで確実に戻ったかどうかを監視する。即ち、ゲートセンサがオフとなってゲート立下フラグ＝“１”となれば、球抜きゲート１０７が閉位置に戻ったと判定し、それぞれタイマが経過してもゲートフラグ＝“１”とならない場合は、エラーとして球抜きエラー処理に入る（７０．７２〜７０．７５，７０．７８〜７０．８１）。なお、この際も常時監視処理、排出装置不正監視処理を行う。
　球抜きエラー処理に入ると、第５４図のように両セーフランプ１，２を点灯すると共に、常時監視処理、排出装置不正監視処理を行い、待機状態となる（７１．０１〜７１．０５）。球抜きエラーとしては前述のように球抜きＳｏｌの故障や不正行為等が考えられるが、この待機状態にて係員により復旧が行われ、球抜きゲート１０７が適正閉位置に戻り、これによりゲート立下フラグ＝“１”となればセーフランプ１，２をオフし、復帰となる（７１．０６，７１．０７）。
　第７０図、第７１図に自動終了時に球抜きエラーを生じた場合と強制終了時に球抜きエラーを生じた場合のタイミングチャートを示すと、球抜きＳｏｌのオン後それぞれ球抜きエラータイマ、ゲートエラータイマが経過してもゲートセンサがオフにならないときは、両セーフランプ１，２を点灯して復旧待ちとなり、復旧が済むことでエラー処理終了となる。これにより、球抜きゲート１０７が適正閉位置に戻らないまま遊技等に入ってしまうことを回避でき、賞球時に賞品球が基盤２の供給皿に排出されないといった不具合を防止できる。
　一方、各エラー処理中や不正監視処理中には、前述したＬＣＤ表示処理によりモニタ表示部２１３（第１９図参照）にエラーの内容、状態が表示される。即ち、第４１図（Ａ），（Ｂ）のようにセーフ球払出エラーフラグが“０”でないときは（第５０図のセーフ球払出エラー処理中）、モニタ表示部２１３のＬＣＤ−Ｇに該エラー中を示す“１”の数字を、セーフフラグに応じてＬＣＤ−Ｈにセーフセンサ１または２側のエラーを示す“１”または“２”の数字を表示する（２９．２０〜２９．２４）。また、排出エラーフラグが“０”でないときは（第４９図の排出エラー処理中）、ＬＣＤ−Ｇに該エラー中を示す“２”の数字を、排出１，２終了フラグに応じてＬＣＤ−Ｈに排出センサ１または２側のエラーを示す“１”または“２”の数字を表示する（２９．２５〜２９．２９）。また、セーフ１，２球有フラグが“０”でないときは（第４４図の排出開始条件確認処理中）、半端センサ球有フラグが“０”であれば誘導樋４１内の球無しを示す“１”の数字を、オーバーフロー球無フラグが“０”であれば分配樋４４のオーバーフロー状態を示す“２”の数字を、排出センサ（１または２）球有フラグが“０”であれば該当排出センサ１または２側の球無しを示す“３”または“４”の数字をＬＣＤ−Ｈに表示し、ＬＣＤ−Ｇに“３”の数字を表示する（２９．３０〜２９．４０）。また、排出不正フラグが“０”でないときは（第５２図の排出装置不正監視処理中）、ＬＣＤ−Ｇに該不正監視処理中を示す“４”の数字を表示する（２９．４１〜２９．４３）。なお、エラー中でないときはＬＣＤ−Ｇに“０”を表示し、ＬＣＤ−Ｇｄを点灯する。また、各エラー中のときはＬＣＤ−Ｇｄを点滅する（２９．４４〜２９．４６，２９．４７〜２９．４９）。第７２図にこれらの表示例を示す。
　電子制御式のパチンコ機にあっては、各検出器や駆動部等が故障したり、不正行為等があった場合、どこの部分が悪いのかあるいはどうゆう不正があったのかを見付けることが非常に難しく、この場合係員がパチンコ機各部を１つ１つ点検しなければならなかったが、このように故障や不正等によるエラーがあった場合、各処理に応じてエラー箇所、エラー状態をモニタ表示するため、モニタ表示を見ることで故障箇所や故障内容ならびに不正行為等を簡単に発見でき、例えば賞球排出にエラーがあった場合にＬＣＤ−Ｇが“２”を、ＬＣＤ−Ｈが“１”を表示していれば、排出センサ１側での排出エラーと即座に発見でき、これにより故障や不正行為等に対して的確かつ迅速に対処することができ、故障等の復旧を容易に行うことができる。
（発明の効果）
　以上のように本発明によれば、電気的駆動源の作用により所要数の球を排出可能な球排出装置を球排出指令信号に基づいて作動させて、所定数の球の排出を行わせる制御装置は、球排出指令信号に基づいて、球排出装置監視手段による排出可能判定および上記
第二の検出器による監視結果と、第一の検出器による球存在判定結果に基づき設定されるフラグ
い、しかも、球監視手段は検出器からの信号が一定時間継続することを条件にして球の存在状態を判定することで、正確な球の存在状態の判定を行う。
　したがって、制御装置が球排出装置の作動状態を把握して排出制御を行うので、例えば連続して排出を行う場合に一定周期で排出を繰り返すのではなく、前回の排出の終了後の適切なタイミングであり、且つ所定数の球の排出が可能であることを検出した上で次回の排出作動を開始することが可能になり、短期間に集中して排出を行ったり、排出する数が異なる場合においても正確な排出制御がなされる。
【図面の簡単な説明】
　第１図は本発明の実施例を示すパチンコ機の分解斜視図、第２図は基盤の裏面図、第３図（Ａ），（Ｂ）はストッパ機構の作動説明図、第４図〜第６図（Ａ）〜（Ｃ）は上タンクの斜視図と誘導樋の正面図とそのＡ−Ａ、Ｂ−Ｂ、Ｃ−Ｃ線断面図、第７図〜第９図（Ａ），（Ｂ）は球止め装置の斜視図と作動説明図と樋接合部分の斜視図と正面図、第１０図、第１１図は排出機構の正面図と分解斜視図、第１２図（Ａ），（Ｂ）は排出ストッパ機構の作動説明図、第１３図（Ａ），（Ｂ）は球抜き部分の分解斜視図と部分分解図、第１４図〜第１６図（Ａ），（Ｂ）は球供給機構の裏面斜視図と部分斜視図と作動説明図、第１７図、第１８図は制御装置の斜視図と回路構成図、第１９図、第２０図はモニタ表示部の配置図とリモコン送信器の正面図、第２１図（Ａ），（Ｂ）〜第２４図は制御のプログラムと賞球数設定処理を示すフローチャート、第２５図〜第３１図は割込処理を示すフローチャート、第３２図〜第４１図（Ａ），（Ｂ）は常時監視処理を示すフローチャート、第４２図〜第５２図は排出処理、各エラー処理を示すフローチャート、第５３図（Ａ）〜（Ｄ）、第５４図は球抜き処理、球抜きエラー処理を示すフローチャート、第５６図は電源立上り特性図、第５７図（Ａ），（Ｂ）はセンサ入力処理の特性図と表図、第５５図、第５８図〜第７１図は各タイミングーチャート、第７２図はモニタ表示部の表示例を示す表図、第７３図は調流樋の例を示す断面図である。
　２…基盤、３…フレーム、１０ａ，１０ｂ…集合樋、１４…打球発射装置、１５…入賞球処理装置、１６…賞球排出装置、１７ａ，１７ｂ…案内樋、１８ａ，１８ｂ…調流樋、２０ａ，２０ｂ…ストッパ機構、２１ａ，２１ｂ…セーフセンサ、３３ａ，３３ｂ，３４ａ，３４ｂ…係止爪、３５ａ，３５ｂ…セーフソレノイド、４０…上タンク、４１…誘導樋、４２ａ，４２ｂ…排出機構、４３…賞球排出樋、４５…球抜き樋、５３…補給センサ、５４…踏板、５７ａ，５７ｂ…通路、５８…分流壁、５９…球止め装置、６０…半端センサ、６５ａ，６５ｂ…踏板、６８ａ，６８ｂ…流入樋、７０…ユニット基板、７１…排出ロック機構、７２ａ，７２ｂ…調流樋、７３ａ，７３ｂ…排出ストッパ機構、７４ａ，７４ｂ…排出センサ、７５，７７…傾斜部、７６，７８…屈曲部、７９…垂直部、８０…誘導部、８１…調流部、８２…落下部、８３…底壁、８４…壁面、８５…上壁、８６ａ，８６ｂ…係止爪、８７ａ，８７ｂ…排出ソレノイド、９３ａ，９３ｂ…係止爪、９４…ロックソレノイド、１００…球抜きセンサ、１０３…流下樋、１０５…検知片、１０６…オーバーフロースイッチ、１０７…球抜きゲート、１１３…球抜きソレノイド、１１４…検知片、１１５…ゲートセンサ、１２３…シャッタ、１２４…シャッタソレノイド、２００…制御装置、２１３…モニタ表示部、２１４…リモコン送信器、２１５…リモコン受信器、２１７…受信部、２１８，２１９…セーフキー、２２０，２２１…±１キー、２２２…セットキー